(57)【要約】【課題】画像が送信先に正しく送信されたか確認することが可能な通信機器および画像出力システムを提供する。【解決手段】まず、ユーザによって履歴プリントボタン９が押下される（Ｓ１１）。履歴プリントボタン９が押下されたことを示す信号をＣＰＵ２０が受信すると（Ｓ１２）、ＣＰＵ２０は送信済み画像保存用ＲＡＭ２４bにデータ要求信号を送る（Ｓ１３）。ＣＰＵ２０が送信済み画像データおよび送信済み画像の見出し情報のデータを受信したと判定されると（Ｓ１４：Ｙｅｓ）、ＣＰＵ２０は、印字形態保存用ＲＡＭ２４cから上述した印字形態設定処理により設定された印字形態の情報を受信し（Ｓ１７）、受信した印字形態の情報に基づき、印字部２２によって送信済み画像のＮ in １印字を行わせる（Ｓ２０）。【選択図】          図７
2007019917.tif 000002
【特許請求の範囲】
【請求項１】
用紙上の画像を読み取る画像読取手段と、
前記画像読取手段によって読み取られた読取画像を記憶する読取画像記憶手段と、
前記読取画像記憶手段によって記憶された読取画像を送信ジョブ毎に外部機器へ送信する第１送信手段と、
前記第１送信手段によって前記読取画像が前記外部機器へ送信されたか否かを判定する監視手段と、
前記監視手段によって前記外部機器へ送信されたと判定された履歴画像を記憶する履歴画像記憶手段と、
操作されることにより、前記履歴画像記憶手段によって記憶された前記履歴画像を用紙１枚毎に複数頁ずつ印字するように指示する履歴印字指示手段と、
前記履歴印字指示手段からの指示に基づいて、前記履歴画像を用紙１枚毎に複数頁ずつ印字する印字手段と、を備えたことを特徴とする通信機器。
【請求項２】
前記履歴印字指示手段が一度押下されると、前記印字手段によって前記履歴画像を用紙１枚毎に複数頁ずつ印字されることを特徴とする請求項１に記載の通信機器。
【請求項３】
前記印字手段によって用紙上に印字される前記履歴画像の印字形態を設定する印字形態設定手段と、
前記印字形態を表示する表示手段と、
前記表示手段によって表示された印字形態を記憶する印字形態記憶手段と、
前記印字形態記憶手段によって記憶された印字形態に基づいて前記履歴画像を用紙上に印字するように制御する制御手段と、を備えたことを特徴とする請求項１または２に記載の通信機器。
【請求項４】
前記表示手段は、１枚の用紙上に印字される前記履歴画像の頁数を設定する設定画面を表示し、
前記印字形態設定手段は、前記表示手段によって表示された１枚の用紙上に印字される前記履歴画像の頁数を設定し、
前記印字形態記憶手段は、前記印字形態設定手段によって設定された前記１枚の用紙上に印字される前記履歴画像の頁数を記憶し、
前記制御手段は、前記印字形態記憶手段によって記憶された頁数ずつ前記履歴画像を用紙１枚毎に印字するように制御することを特徴とする請求項３に記載の通信機器。
【請求項５】
前記表示手段は、各送信ジョブの先頭頁の前記履歴画像のみを印字するか、または、前記各送信ジョブの全頁の前記履歴画像を印字するかの選択画面を表示し、
前記印字形態設定手段は、前記表示手段によって表示されたいずれか一方の表示を設定し、
前記印字形態記憶手段は、前記印字形態設定手段によって設定されたいずれか一方の設定を記憶し、
前記制御手段は、前記印字形態記憶手段によって記憶された設定に基づいて、前記印字手段によって前記各送信ジョブの先頭頁の前記履歴画像のみが印字、または、前記各送信ジョブの全頁の前記履歴画像が印字されるように制御することを特徴とする請求項３または４に記載の通信機器。
【請求項６】
前記印字形態設定手段によって前記各送信ジョブの全頁の前記履歴画像を印字するように設定されたとき、
前記表示手段は、前記各送信ジョブの先頭頁以外の前記履歴画像の大きさを、前記各送信ジョブの先頭頁の前記履歴画像の大きさと等しく印字、または、前記各送信ジョブの先頭頁の前記履歴画像の大きさよりも小さく印字するかの選択画面を表示し、
前記印字形態設定手段は、前記表示手段によって表示されたいずれか一方の表示を設定し、
前記印字形態記憶手段は、前記印字形態設定手段によって設定されたいずれか一方の設定を記憶し、
前記制御手段は、前記印字形態記憶手段によって記憶された設定に基づいて、前記印字手段によって前記各送信ジョブの先頭頁以外の前記履歴画像の大きさが、前記各送信ジョブの先頭頁の前記履歴画像の大きさと等しくなるように印字、または、前記各送信ジョブの先頭頁の前記履歴画像の大きさよりも小さくなるように印字されるように制御することを特徴とする請求項５に記載の通信機器。
【請求項７】
時間を計時する計時手段をさらに備え、
前記表示手段は、時間を設定する設定画面を表示し、
前記印字形態設定手段は、前記表示手段に表示された時間を設定し、
前記印字形態記憶手段は、前記印字形態設定手段によって設定された時間を記憶し、
前記制御手段は、前記印字形態記憶手段によって前記時間が記憶されてから前記設定された時間になるまでの期間が前記計時手段によって計時されると、前記設定された時間から後に送信された前記履歴画像が前記印字手段によって印字されるように制御することを特徴とする請求項３乃至６のいずれかに記載の通信機器。
【請求項８】
所定期間内の前記履歴画像の送信料金を計算する料金計算手段をさらに備え、
前記表示手段は、時間を設定する設定画面を表示し、
前記印字形態設定手段は、前記表示手段によって設定された時間を設定し、
前記印字形態記憶手段は、前記印字形態設定手段によって設定された時間を記憶し、
前記料金計算手段は、前記印字形態記憶手段によって前記時間が記憶されてから前記設定された時間になるまでの期間が前記計時手段によって計時されると、前記設定された時間から後に送信された前記履歴画像の送信料金を計算し、
前記制御手段は、前記料金計算手段によって計算された履歴画像の送信料金が前記印字手段によって前記履歴画像とともに印字されるように制御することを特徴とする請求項３乃至７のいずれかに記載の通信機器。
【請求項９】
前記印字手段は、前記履歴画像を印字するとともに、前記画像読取手段によって読み取られる画像が形成されていた用紙の上端部または下端部の見出し情報と、前記第１送信手段によって送信された画像の送信情報とを印字することを特徴とする請求項１乃至８のいずれかに記載の通信機器。
【請求項１０】
パスワードを入力するパスワード入力手段と、
前記パスワード入力手段によって入力されたパスワードを前記印字形態記憶手段に記憶させるパスワード設定手段と、
前記パスワード設定手段によって設定されたパスワードと前記パスワード入力手段によって入力されたパスワードとが一致するか否か判定するパスワード照合手段と、
前記パスワード照合手段によって前記設定されたパスワードと前記入力されたパスワードとが一致していると判定されたとき、前記履歴画像を前記履歴画像記憶手段から消去可能な履歴消去手段と、を備えたことを特徴とする請求項３乃至９のいずれかに記載の通信機器。
【請求項１１】
前記履歴消去手段によって消去する前記履歴画像を選択する選択手段を備えたことを特徴とする請求項１０に記載の通信機器。
【請求項１２】
用紙上の画像を読み取る画像読取手段と、
前記画像読取手段によって読み取られた読取画像を記憶する読取画像記憶手段と、
前記読取画像記憶手段によって記憶された読取画像を送信ジョブ毎に外部機器へ送信する第１送信手段と、
前記第１送信手段によって前記読取画像が前記外部機器へ送信されたか否かを判定する監視手段と、
前記監視手段によって前記外部機器へ送信されたと判定された履歴画像を記憶する履歴画像記憶手段と、
前記履歴画像記憶手段によって記憶された履歴画像を印字する印字手段と、
前記履歴画像が前記印字手段によって一定時間毎に印字されるように、時間を設定可能なタイマ設定手段と、
前記タイマ設定手段によって設定された時間を計時する計時手段と、
前記計時手段によって計時された時間毎に前記履歴画像が用紙１枚毎に複数頁ずつ印字されるように制御する制御手段と、を備えたことを特徴とする通信機器。
【請求項１３】
パスワードを入力するパスワード入力手段と、
前記パスワード入力手段によって入力されたパスワードを記憶する印字形態記憶手段と、前記パスワード入力手段によって入力されたパスワードを前記印字形態記憶手段に記憶させるパスワード設定手段と、
前記パスワード設定手段によって設定されたパスワードと前記印字形態記憶手段によって記憶されたパスワードとが一致するか否か判定するパスワード照合手段と、
前記パスワード照合手段によって前記設定されたパスワードと前記記憶されたパスワードとが一致していると判定されたとき、前記タイマ設定手段によって前記履歴画像が一定時間毎に印字されるように、時間を設定可能にすることを特徴とする請求項１２に記載の通信機器。
【請求項１４】
前記印字手段によって前記履歴画像が印字されたとき、前記印字された履歴画像を消去する履歴消去手段を、さらに備えたことを特徴とする請求項１２または１３に記載の通信機器。
【請求項１５】
前記履歴消去手段によって消去する前記履歴画像を選択する選択手段を備えたことを特徴とする請求項１４に記載の通信機器。
【請求項１６】
用紙上の画像を読み取る画像読取手段と、前記画像読取手段によって読み取られた読取画像を記憶する読取画像記憶手段と、前記読取画像記憶手段によって記憶された読取画像を送信ジョブ毎に外部機器へ送信する第１送信手段と、前記第１送信手段によって前記読取画像が前記外部機器へ送信されたか否かを判定する監視手段と、前記監視手段によって前記外部機器へ送信されたと判定された履歴画像を記憶する履歴画像記憶手段と、を備えた通信機器と、
操作されることにより、前記履歴画像記憶手段によって記憶された前記履歴画像を用紙１枚毎に複数頁ずつ印字するように指示する履歴印字指示手段を備えた情報端末装置と、からなり、
前記通信機器は、前記履歴印字指示手段からの指示に基づいて、前記履歴画像を用紙１枚毎に複数頁ずつ印字する印字手段を備えたことを特徴とする画像出力システム。
【請求項１７】
前記情報端末装置は、前記印字手段によって用紙上に印字される前記履歴画像の印字形態を設定する印字形態設定手段と、
前記印字形態設定手段によって設定された印字形態を表示する表示手段と、
前記印字形態設定手段によって設定された印字形態を前記通信機器に送信する第２送信手段と、を備え、
前記通信機器は、前記第２送信手段によって前記情報端末装置から送信された印字形態を記憶する印字形態記憶手段と、
前記印字形態記憶手段によって記憶された印字形態に基づいて前記履歴画像を用紙１枚毎に複数頁ずつ印字するように制御する制御手段を備えたことを特徴とする請求項１６に記載の画像出力システム。
【請求項１８】
前記表示手段は、１枚の用紙上に印字される前記履歴画像の頁数を設定する設定画面を表示し、
前記印字形態設定手段は、前記表示手段によって表示された１枚の用紙上に印字される前記履歴画像の頁数を設定し、
前記印字形態記憶手段は、前記印字形態設定手段によって設定された前記１枚の用紙上に印字される前記履歴画像の頁数を記憶し、
前記制御手段は、前記印字形態記憶手段によって記憶された頁数ずつ前記履歴画像を用紙１枚毎に印字するように制御することを特徴とする請求項１７に記載の画像出力システム。
【請求項１９】
前記表示手段は、各送信ジョブの先頭頁の前記履歴画像のみを印字するか、または、前記各送信ジョブの全頁の前記履歴画像を印字するかの選択画面を表示し、
前記印字形態設定手段は、前記表示手段によって表示されたいずれか一方の表示を設定し、
前記印字形態記憶手段は、前記印字形態設定手段によって設定されたいずれか一方の設定を記憶し、
前記制御手段は、前記印字形態記憶手段によって記憶された設定に基づいて、前記印字手段によって前記各送信ジョブの先頭頁の前記履歴画像のみが印字、または、前記各送信ジョブの全頁の前記履歴画像が印字されるように制御することを特徴とする請求項１７または１８に記載のネットワーク画像出力システム。
【請求項２０】
前記印字形態設定手段によって前記各送信ジョブの全頁の前記履歴画像を印字するように設定されたとき、
前記表示手段は、前記各送信ジョブの先頭頁以外の前記履歴画像の大きさを、前記各送信ジョブの先頭頁の前記履歴画像の大きさと等しく印字、または、前記各送信ジョブの先頭頁の前記履歴画像の大きさよりも小さく印字するかの選択画面を表示し、
前記印字形態設定手段は、前記表示手段によって表示されたいずれか一方の表示を設定し、
前記印字形態記憶手段は、前記印字形態設定手段によって設定されたいずれか一方の設定を記憶し、
前記制御手段は、前記印字形態記憶手段によって記憶された設定に基づいて、前記印字手段によって前記各送信ジョブの先頭頁以外の前記履歴画像の大きさが、前記各送信ジョブの先頭頁の前記履歴画像の大きさと等しくなるように印字、または、前記各送信ジョブの先頭頁の前記履歴画像の大きさよりも小さくなるように印字されるように制御することを特徴とする請求項１９に記載の画像出力システム。
【請求項２１】
前記通信機器は、時間を計時する計時手段をさらに備え、
前記表示手段は、時間を設定する設定画面を表示し、
前記印字形態設定手段は、前記表示手段によって表示された時間を設定し、
前記印字形態記憶手段は、前記印字形態設定手段によって設定された時間を記憶し、
前記制御手段は、前記印字形態記憶手段によって前記時間が記憶されてから前記設定された時間になるまでの期間が前記計時手段によって計時されると、前記設定された時間から後に送信された前記履歴画像が前記印字手段によって印字されるように制御することを特徴とする請求項１７乃至２０のいずれかに記載の画像出力システム。
【請求項２２】
前記通信機器は、所定期間内の前記履歴画像の送信料金を計算する料金計算手段をさらに備え、
前記表示手段は、時間を設定する設定画面を表示し、
前記印字形態設定手段は、前記表示手段によって表示された時間を設定し、
前記印字形態記憶手段は、前記印字形態設定手段によって設定された時間を記憶し、
前記料金計算手段は、前記印字形態記憶手段によって前記時間が記憶されてから前記設定された時間になるまでの期間が前記計時手段によって計時されると、前記設定された時間から後に送信された前記履歴画像の送信料金を計算し、
前記制御手段は、前記料金計算手段によって計算された履歴画像の送信料金が前記印字手段によって前記履歴画像とともに印字されるように制御することを特徴とする請求項１７乃至２１のいずれかに記載の画像出力システム。
【請求項２３】
前記印字手段は、前記履歴画像を印字するとともに、前記画像読取手段によって読み取られる画像が形成されていた用紙の上端部または下端部の見出し情報と、前記第１送信手段によって送信された画像の送信情報とを印字することを特徴とする請求項１６乃至２２のいずれかに記載の画像出力システム。
【請求項２４】
前記情報端末装置は、パスワードを入力するパスワード入力手段をさらに備え、
前記通信機器は、前記パスワード入力手段によって入力されたパスワードを前記印字形態記憶手段に記憶させるパスワード設定手段と、
前記パスワード設定手段によって設定されたパスワードと前記パスワード入力手段によって入力されたパスワードとが一致するか否か判定するパスワード照合手段と、
前記パスワード照合手段によって前記設定されたパスワードと前記入力されたパスワードとが一致していると判定されたとき、前記履歴画像を前記履歴画像記憶手段から消去可能な履歴消去手段と、をさらに備えたことを特徴とする請求項１６乃至２３のいずれかに記載のネットワーク画像出力システム。
【請求項２５】
前記情報端末装置は、前記履歴消去手段によって消去する前記履歴画像を選択する選択手段をさらに備えたことを特徴とする請求項２４に記載の画像出力システム。
【請求項２６】
用紙上の画像を読み取る画像読取手段と、前記画像読取手段によって読み取られた読取画像を記憶する読取画像記憶手段と、前記読取画像記憶手段によって記憶された読取画像を送信ジョブ毎に外部機器へ送信する第１送信手段と、前記第１送信手段によって前記読取画像が前記外部機器へ送信されたか否かを判定する監視手段と、前記監視手段によって前記外部機器へ送信されたと判定された履歴画像を記憶する履歴画像記憶手段と、前記履歴画像記憶手段によって記憶された履歴画像を印字する印字手段と、を備えた通信機器と、
前記履歴画像が前記印字手段によって一定時間毎に印字されるように、時間を設定可能なタイマ設定手段と、前記タイマ設定手段によって設定された時間を計時する計時手段と、前記計時手段によって計時された時間毎に前記履歴画像が用紙１枚毎に複数頁ずつ印字されるように制御する制御手段と、を備えた情報端末装置と、からなることを特徴とする画像出力システム。
【請求項２７】
前記情報端末装置は、パスワードを入力するパスワード入力手段と、前記パスワード入力手段によって入力されたパスワードを前記通信機器に送信する第２送信手段と、をさらに備え、
前記通信機器は、前記第２送信手段によって送信されたパスワードを記憶する印字形態記憶手段と、
前記第２送信手段によって送信されたパスワードを前記印字形態記憶手段に記憶させるパスワード設定手段と、
前記パスワード設定手段によって設定されたパスワードと前記印字形態記憶手段によって記憶されたパスワードとが一致するか否か判定するパスワード照合手段と、をさらに備え、
前記パスワード照合手段によって前記設定されたパスワードと前記記憶されたパスワードとが一致していると判定されたとき、
前記タイマ設定手段によって前記履歴画像が一定時間毎に印字されるように、時間を設定可能にすることを特徴とする請求項２６に記載の画像出力システム。
【請求項２８】
前記通信機器は、前記印字手段によって前記履歴画像が印字されたとき、前記印字された履歴画像を消去する履歴消去手段を、さらに備えたことを特徴とする請求項２６または２７に記載の画像出力システム。
【請求項２９】
前記情報端末装置は、前記履歴消去手段によって消去する前記履歴画像を選択する選択手段をさらに備えたことを特徴とする請求項２８に記載の画像出力システム。
【発明の詳細な説明】
【技術分野】
【０００１】
本発明は、ファクシミリ装置や複合機などの通信機器とその通信機器へ画像データやコマンドを送信する情報端末装置とがデータ通信可能に構成された画像出力システム、並びに、こうした画像出力システムを構成する通信機器に関するものである。
【背景技術】
【０００２】
従来から、電話回線を利用して相手先と画像データを送受信するファクシミリなどの通信機器において、画像データの確認ができる通信機器が知られている。
【０００３】
このような通信機器は、たとえば、画像メモリに蓄積されている送信待ちの画像の印刷を指示する操作部と、印刷の指示に応じて、画像メモリに蓄積されている１又は複数の送信ジョブに対応する画像を用紙に印刷するように制御する制御部とを備え、印刷の指示により、画像メモリに蓄積されている各送信ジョブに対応する画像をＮ in １印刷（Ｎは自然数）するものが提案されている（特許文献１参照）。
【０００４】
このように、特許文献１のようにすれば、ユーザは、画像メモリに蓄積されている送信待ちの蓄積画像がＮ in １印刷された用紙を見て、画像メモリに蓄積されている各蓄積画像の内容を容易に知ることができる。また、Ｎ in １印刷をして蓄積画像を集約するので、用紙の使用量を節約することができるとともに、画像の形成時間および用紙に形成された各画像の確認時間を短縮することができる。さらに、１枚の用紙に形成する画像数の上限値を指定することにより、画像サイズを、画像の内容が識別できる大きさに保つことができ、上限値より画像数の多い画像データの形成を、複数の用紙に分けることができる。
【０００５】
【特許文献１】特開２００４−０１５５２５号公報
【発明の開示】
【発明が解決しようとする課題】
【０００６】
しかしながら、特許文献１において、一度ＦＡＸ送信したい画像を読み取って蓄積し終わってから蓄積画像をＦＡＸ送信するのではなく、読み取った画像を蓄積することなく直接ＦＡＸ送信する場合、画像に筋が入っていたり画像全体が真っ黒になっていたりするなどの画質不良が生じていたり、送信先アドレスが間違っているなどして、蓄積画像が正確に送信先に送信されていなかったとしても、確認する手段がないために仕事の取引先などからクレームを受けてしまう、という問題などがあった。そうであるからといって、毎回画像の蓄積を終了してからＦＡＸ送信していては、大量の原稿を早くＦＡＸ送信したいときには、非常に時間がかかってしまう。また、操作に不慣れな者が、誤って原稿の裏表を逆にして読み取りを行う、などの事態に対し、後から通信機器を管理する管理者がＦＡＸ送信状況を確認する有効な手段がなかった。
【０００７】
そこで、本発明は、このような問題に鑑みなされたものであって、画像が送信先に正しく送信されたか確認することが可能な通信機器および画像出力システムを提供することを目的とする。
【課題を解決するための手段】
【０００８】
前記目的を達成するために、請求項１に記載の通信機器では、用紙上の画像を読み取る画像読取手段と、画像読取手段によって読み取られた読取画像を記憶する読取画像記憶手段と、読取画像記憶手段によって記憶された読取画像を送信ジョブ毎に外部機器へ送信する第１送信手段と、第１送信手段によって読取画像が外部機器へ送信されたか否かを判定する監視手段と、監視手段によって外部機器へ送信されたと判定された履歴画像を記憶する履歴画像記憶手段と、操作されることにより、履歴画像記憶手段によって記憶された履歴画像を用紙１枚毎に複数頁ずつ印字するように指示する履歴印字指示手段と、履歴印字指示手段からの指示に基づいて、履歴画像を用紙１枚毎に複数頁ずつ印字する印字手段と、を備えたことを特徴とする。
【０００９】
請求項２に記載の通信機器では、履歴印字指示手段が一度押下されると、印字手段によって履歴画像を用紙１枚毎に複数頁ずつ印字されることを特徴とする。
【００１０】
請求項３に記載の通信機器では、印字手段によって用紙上に印字される履歴画像の印字形態を設定する印字形態設定手段と、印字形態を表示する表示手段と、表示手段によって表示された印字形態を記憶する印字形態記憶手段と、印字形態記憶手段によって記憶された印字形態に基づいて履歴画像を用紙上に印字するように制御する制御手段と、を備えたことを特徴とする。
【００１１】
請求項４に記載の通信機器では、表示手段は、１枚の用紙上に印字される履歴画像の頁数を設定する設定画面を表示し、印字形態設定手段は、表示手段によって表示された１枚の用紙上に印字される履歴画像の頁数を設定し、印字形態記憶手段は、印字形態設定手段によって設定された１枚の用紙上に印字される履歴画像の頁数を記憶し、制御手段は、印字形態記憶手段によって記憶された頁数ずつ履歴画像を用紙１枚毎に印字するように制御することを特徴とする。
【００１２】
請求項５に記載の通信機器では、表示手段は、各送信ジョブの先頭頁の履歴画像のみを印字するか、または、各送信ジョブの全頁の履歴画像を印字するかの選択画面を表示し、印字形態設定手段は、表示手段によって表示されたいずれか一方の表示を設定し、印字形態記憶手段は、印字形態設定手段によって設定されたいずれか一方の設定を記憶し、制御手段は、印字形態記憶手段によって記憶された設定に基づいて、印字手段によって各送信ジョブの先頭頁の履歴画像のみが印字、または、各送信ジョブの全頁の履歴画像が印字されるように制御することを特徴とする。
【００１３】
請求項６に記載の通信機器では、印字形態設定手段によって各送信ジョブの全頁の履歴画像を印字するように設定されたとき、表示手段は、各送信ジョブの先頭頁以外の履歴画像の大きさを、各送信ジョブの先頭頁の履歴画像の大きさと等しく印字、または、各送信ジョブの先頭頁の履歴画像の大きさよりも小さく印字するかの選択画面を表示し、印字形態設定手段は、表示手段によって表示されたいずれか一方の表示を設定し、印字形態記憶手段は、印字形態設定手段によって設定されたいずれか一方の設定を記憶し、制御手段は、印字形態記憶手段によって記憶された設定に基づいて、印字手段によって各送信ジョブの先頭頁以外の履歴画像の大きさが、各送信ジョブの先頭頁の履歴画像の大きさと等しくなるように印字、または、各送信ジョブの先頭頁の履歴画像の大きさよりも小さくなるように印字されるように制御することを特徴とする。
【００１４】
請求項７に記載の通信機器では、時間を計時する計時手段をさらに備え、表示手段は、時間を設定する設定画面を表示し、印字形態設定手段は、表示手段に表示された時間を設定し、印字形態記憶手段は、印字形態設定手段によって設定された時間を記憶し、制御手段は、印字形態記憶手段によって時間が記憶されてから設定された時間になるまでの期間が計時手段によって計時されると、設定された時間から後に送信された履歴画像が印字手段によって印字されるように制御することを特徴とする。
【００１５】
請求項８に記載の通信機器では、所定期間内の履歴画像の送信料金を計算する料金計算手段をさらに備え、表示手段は、時間を設定する設定画面を表示し、印字形態設定手段は、表示手段によって設定された時間を設定し、印字形態記憶手段は、印字形態設定手段によって設定された時間を記憶し、料金計算手段は、印字形態記憶手段によって時間が記憶されてから設定された時間になるまでの期間が計時手段によって計時されると、設定された時間から後に送信された履歴画像の送信料金を計算し、制御手段は、料金計算手段によって計算された履歴画像の送信料金が印字手段によって履歴画像とともに印字されるように制御することを特徴とする。
【００１６】
請求項９に記載の通信機器では、印字手段は、履歴画像を印字するとともに、画像読取手段によって読み取られる画像が形成されていた用紙の上端部または下端部の見出し情報と、第１送信手段によって送信された画像の送信情報とを印字することを特徴とする。
【００１７】
請求項１０に記載の通信機器では、パスワードを入力するパスワード入力手段と、パスワード入力手段によって入力されたパスワードを印字形態記憶手段に記憶させるパスワード設定手段と、パスワード設定手段によって設定されたパスワードとパスワード入力手段によって入力されたパスワードとが一致するか否か判定するパスワード照合手段と、パスワード照合手段によって設定されたパスワードと入力されたパスワードとが一致していると判定されたとき、履歴画像を履歴画像記憶手段から消去可能な履歴消去手段と、を備えたことを特徴とする。
【００１８】
請求項１１に記載の通信機器では、履歴消去手段によって消去する履歴画像を選択する選択手段を備えたことを特徴とする。
【００１９】
請求項１２に記載の通信機器では、用紙上の画像を読み取る画像読取手段と、画像読取手段によって読み取られた読取画像を記憶する読取画像記憶手段と、読取画像記憶手段によって記憶された読取画像を送信ジョブ毎に外部機器へ送信する第１送信手段と、第１送信手段によって読取画像が外部機器へ送信されたか否かを判定する監視手段と、監視手段によって外部機器へ送信されたと判定された履歴画像を記憶する履歴画像記憶手段と、履歴画像記憶手段によって記憶された履歴画像を印字する印字手段と、履歴画像が印字手段によって一定時間毎に印字されるように、時間を設定可能なタイマ設定手段と、タイマ設定手段によって設定された時間を計時する計時手段と、計時手段によって計時された時間毎に履歴画像が用紙１枚毎に複数頁ずつ印字されるように制御する制御手段と、を備えたことを特徴とする。
【００２０】
請求項１３に記載の通信機器では、パスワードを入力するパスワード入力手段と、パスワード入力手段によって入力されたパスワードを記憶する印字形態記憶手段と、パスワード入力手段によって入力されたパスワードを印字形態記憶手段に記憶させるパスワード設定手段と、パスワード設定手段によって設定されたパスワードと印字形態記憶手段によって記憶されたパスワードとが一致するか否か判定するパスワード照合手段と、パスワード照合手段によって設定されたパスワードと記憶されたパスワードとが一致していると判定されたとき、タイマ設定手段によって履歴画像が一定時間毎に印字されるように、時間を設定可能にすることを特徴とする。
【００２１】
請求項１４に記載の通信機器では、印字手段によって履歴画像が印字されたとき、印字された履歴画像を消去する履歴消去手段を、さらに備えたことを特徴とする。
【００２２】
請求項１５に記載の通信機器では、履歴消去手段によって消去する履歴画像を選択する選択手段を備えたことを特徴とする。
【００２３】
請求項１６に記載の画像出力システムでは、用紙上の画像を読み取る画像読取手段と、画像読取手段によって読み取られた読取画像を記憶する読取画像記憶手段と、読取画像記憶手段によって記憶された読取画像を送信ジョブ毎に外部機器へ送信する第１送信手段と、第１送信手段によって読取画像が外部機器へ送信されたか否かを判定する監視手段と、監視手段によって外部機器へ送信されたと判定された履歴画像を記憶する履歴画像記憶手段と、を備えた通信機器と、操作されることにより、履歴画像記憶手段によって記憶された履歴画像を用紙１枚毎に複数頁ずつ印字するように指示する履歴印字指示手段を備えた情報端末装置と、からなり、通信機器は、履歴印字指示手段からの指示に基づいて、履歴画像を用紙１枚毎に複数頁ずつ印字する印字手段を備えたことを特徴とする。
【００２４】
請求項１７に記載の画像出力システムでは、情報端末装置は、印字手段によって用紙上に印字される履歴画像の印字形態を設定する印字形態設定手段と、印字形態設定手段によって設定された印字形態を表示する表示手段と、印字形態設定手段によって設定された印字形態を通信機器に送信する第２送信手段と、を備え、通信機器は、第２送信手段によって情報端末装置から送信された印字形態を記憶する印字形態記憶手段と、印字形態記憶手段によって記憶された印字形態に基づいて履歴画像を用紙１枚毎に複数頁ずつ印字するように制御する制御手段を備えたことを特徴とする。
【００２５】
請求項１８に記載の画像出力システムでは、表示手段は、１枚の用紙上に印字される履歴画像の頁数を設定する設定画面を表示し、印字形態設定手段は、表示手段によって表示された１枚の用紙上に印字される履歴画像の頁数を設定し、印字形態記憶手段は、印字形態設定手段によって設定された１枚の用紙上に印字される履歴画像の頁数を記憶し、制御手段は、印字形態記憶手段によって記憶された頁数ずつ履歴画像を用紙１枚毎に印字するように制御することを特徴とする。
【００２６】
請求項１９に記載の画像出力システムでは、表示手段は、各送信ジョブの先頭頁の履歴画像のみを印字するか、または、各送信ジョブの全頁の履歴画像を印字するかの選択画面を表示し、印字形態設定手段は、表示手段によって表示されたいずれか一方の表示を設定し、印字形態記憶手段は、印字形態設定手段によって設定されたいずれか一方の設定を記憶し、制御手段は、印字形態記憶手段によって記憶された設定に基づいて、印字手段によって各送信ジョブの先頭頁の履歴画像のみが印字、または、各送信ジョブの全頁の履歴画像が印字されるように制御することを特徴とする。
【００２７】
請求項２０に記載の画像出力システムでは、印字形態設定手段によって各送信ジョブの全頁の履歴画像を印字するように設定されたとき、表示手段は、各送信ジョブの先頭頁以外の履歴画像の大きさを、各送信ジョブの先頭頁の履歴画像の大きさと等しく印字、または、各送信ジョブの先頭頁の履歴画像の大きさよりも小さく印字するかの選択画面を表示し、印字形態設定手段は、表示手段によって表示されたいずれか一方の表示を設定し、印字形態記憶手段は、印字形態設定手段によって設定されたいずれか一方の設定を記憶し、制御手段は、印字形態記憶手段によって記憶された設定に基づいて、印字手段によって各送信ジョブの先頭頁以外の履歴画像の大きさが、各送信ジョブの先頭頁の履歴画像の大きさと等しくなるように印字、または、各送信ジョブの先頭頁の履歴画像の大きさよりも小さくなるように印字されるように制御することを特徴とする。
【００２８】
請求項２１に記載の画像出力システムでは、通信機器は、時間を計時する計時手段をさらに備え、表示手段は、時間を設定する設定画面を表示し、印字形態設定手段は、表示手段によって表示された時間を設定し、印字形態記憶手段は、印字形態設定手段によって設定された時間を記憶し、制御手段は、印字形態記憶手段によって時間が記憶されてから設定された時間になるまでの期間が計時手段によって計時されると、設定された時間から後に送信された履歴画像が印字手段によって印字されるように制御することを特徴とする。
【００２９】
請求項２２に記載の画像出力システムでは、通信機器は、所定期間内の履歴画像の送信料金を計算する料金計算手段をさらに備え、表示手段は、時間を設定する設定画面を表示し、印字形態設定手段は、表示手段によって表示された時間を設定し、印字形態記憶手段は、印字形態設定手段によって設定された時間を記憶し、料金計算手段は、印字形態記憶手段によって時間が記憶されてから設定された時間になるまでの期間が計時手段によって計時されると、設定された時間から後に送信された履歴画像の送信料金を計算し、制御手段は、料金計算手段によって計算された履歴画像の送信料金が前記印字手段によって履歴画像とともに印字されるように制御することを特徴とする。
【００３０】
請求項２３に記載の画像出力システムでは、印字手段は、履歴画像を印字するとともに、画像読取手段によって読み取られる画像が形成されていた用紙の上端部または下端部の見出し情報と、第１送信手段によって送信された画像の送信情報とを印字することを特徴とする。
【００３１】
請求項２４に記載の画像出力システムでは、情報端末装置は、パスワードを入力するパスワード入力手段をさらに備え、通信機器は、パスワード入力手段によって入力されたパスワードを印字形態記憶手段に記憶させるパスワード設定手段と、パスワード設定手段によって設定されたパスワードとパスワード入力手段によって入力されたパスワードとが一致するか否か判定するパスワード照合手段と、パスワード照合手段によって設定されたパスワードと入力されたパスワードとが一致していると判定されたとき、履歴画像を履歴画像記憶手段から消去可能な履歴消去手段と、をさらに備えたことを特徴とする。
【００３２】
請求項２５に記載の画像出力システムでは、情報端末装置は、履歴消去手段によって消去する履歴画像を選択する選択手段をさらに備えたことを特徴とする。
【００３３】
請求項２６に記載の画像出力システムでは、用紙上の画像を読み取る画像読取手段と、画像読取手段によって読み取られた読取画像を記憶する読取画像記憶手段と、読取画像記憶手段によって記憶された読取画像を送信ジョブ毎に外部機器へ送信する第１送信手段と、第１送信手段によって読取画像が外部機器へ送信されたか否かを判定する監視手段と、監視手段によって外部機器へ送信されたと判定された履歴画像を記憶する履歴画像記憶手段と、履歴画像記憶手段によって記憶された履歴画像を印字する印字手段と、を備えた通信機器と、履歴画像が印字手段によって一定時間毎に印字されるように、時間を設定可能なタイマ設定手段と、タイマ設定手段によって設定された時間を計時する計時手段と、計時手段によって計時された時間毎に履歴画像が用紙１枚毎に複数頁ずつ印字されるように制御する制御手段と、を備えた情報端末装置と、からなることを特徴とする。
【００３４】
請求項２７に記載の画像出力システムでは、情報端末装置は、パスワードを入力するパスワード入力手段と、パスワード入力手段によって入力されたパスワードを通信機器に送信する第２送信手段と、をさらに備え、通信機器は、第２送信手段によって送信されたパスワードを記憶する印字形態記憶手段と、第２送信手段によって送信されたパスワードを印字形態記憶手段に記憶させるパスワード設定手段と、パスワード設定手段によって設定されたパスワードと印字形態記憶手段によって記憶されたパスワードとが一致するか否か判定するパスワード照合手段と、をさらに備え、パスワード照合手段によって設定されたパスワードと記憶されたパスワードとが一致していると判定されたとき、タイマ設定手段によって履歴画像が一定時間毎に印字されるように、時間を設定可能にすることを特徴とする。
【００３５】
請求項２８に記載の画像出力システムでは、通信機器は、印字手段によって履歴画像が印字されたとき、印字された履歴画像を消去する履歴消去手段を、さらに備えたことを特徴とする。
【００３６】
請求項２９に記載の画像出力システムでは、情報端末装置は、履歴消去手段によって消去する履歴画像を選択する選択手段をさらに備えたことを特徴とする。
【発明の効果】
【００３７】
請求項１の通信機器によれば、大量の原稿を早くＦＡＸ送信したいときなど読み取った画像を直接ＦＡＸ送信する場合であっても、履歴印字指示手段を操作することにより、ＦＡＸ送信した画像を印字することができるので、画質不良のない画像が正しく送信されたか確認することができる。また、複数の履歴画像を１枚の用紙上に印字するので、用紙の使用量を節約することができるとともに、画像の形成時間および用紙に形成された各画像の確認時間を短縮することができる。また、通信機器の操作に不慣れな者が正しくＦＡＸ送信したかどうかを、後から管理者が容易に確認することが可能となる。
【００３８】
請求項２の通信機器によれば、履歴印字指示手段を一度押下するだけで送信された履歴画像を確認できるため、通信機器の操作に不慣れなユーザであっても、画像が正確に送信されたか容易に確認することができ、送信トラブルを回避することができる。
【００３９】
請求項３の通信機器によれば、ユーザが表示手段を見ながら印字形態設定手段によって履歴画像の印字形態を自在に変更したり設定したりすることができる。また、印字形態設定手段によって履歴画像の印字形態を変更できるので、各ユーザに最も適した印字形態で履歴画像を印字することができる。
【００４０】
請求項４の通信機器によれば、ユーザが表示手段を見ながら印字形態設定手段によって１枚の用紙上に印字される履歴画像の頁数を自在に設定することができるので、印字される履歴画像の頁数が多い場合、印字形態設定手段によって前記履歴画像の頁数を大きく設定すれば、用紙の使用量を節約することができるとともに、画像の形成時間および用紙に形成された各画像の確認時間を短縮することができる。また、お年寄りなど細かい文字や画像を見づらいユーザが履歴画像を確認する場合、印字形態設定手段によって前記履歴画像の頁数を小さく設定すれば、履歴画像を大きくすることができ、画像が正確に送信されたか確認し易くすることができる。
【００４１】
請求項５の通信機器によれば、各送信ジョブの先頭の履歴画像のみを印字すれば、用紙の使用量を節約することができる。また、各送信ジョブ全ての履歴画像を印字すれば、全ての頁に渡って履歴画像が正しく送信されているか確認することができる。
【００４２】
請求項６の通信機器によれば、お年寄りなど細かい文字や画像を見づらいユーザが各送信ジョブ全ての頁に渡って履歴画像を確認する場合、各送信ジョブの先頭頁以外の履歴画像の大きさを各送信ジョブの先頭頁の履歴画像の大きさと等しく印字すれば、各送信ジョブの履歴画像の全ての頁に渡って履歴画像が正しく送信されているか確認し易くすることができる。また、カバーレターのように、各送信ジョブの履歴画像の大まかな内容が各送信ジョブの先頭頁の履歴画像によって把握できるもので、細かな内容まで把握する必要がない場合、各送信ジョブの先頭頁以外の履歴画像の大きさを各送信ジョブの先頭頁の履歴画像の大きさよりも小さく印字すれば、各送信ジョブの履歴画像の大まかな内容を把握し易く、かつ、用紙の使用量を節約することができる。
【００４３】
請求項７の通信機器によれば、印字形態設定手段により、１日間に送信された履歴画像を確認したいか、１週間に送信された履歴画像を確認したいか、など、正しく送信されたか確認したい履歴画像の量または期間をユーザの希望に応じて設定することができる。例えば、店舗の閉店時間に合わせて時間を設定すれば、１日に送信したデータをその日の営業終了時に全て確認することができるので、効率的である。
【００４４】
請求項８の通信機器によれば、各送信ジョブの履歴画像単位、１日に送信された履歴画像単位、１週間に送信された履歴画像単位など、ユーザの希望に応じた量または期間内の履歴画像の送信料金を確認することができる。
【００４５】
請求項９の通信機器によれば、送信した履歴画像の送信先の宛先や電話番号、また、頁番号などを確認することができるので、画質不良のない画像を送信トラブルが起きることなく正しい宛先に送信されたか確認することができる。
【００４６】
請求項１０の通信機器によれば、管理者以外の他のユーザが画像を送信した時点で履歴画像のデータが履歴画像記憶手段から消去されてしまい、管理者が送信された履歴画像を確認できなくなるのを防止することができる。
【００４７】
請求項１１の通信機器によれば、必要のない履歴画像を選択して消去することができ、まだ必要な履歴画像を残しておくことができる。
【００４８】
請求項１２の通信機器によれば、タイマ設定手段によって自動的に履歴画像を印字することができる。例えば、店舗の閉店時間に合わせてタイマを設定すれば、毎日自動的に、１日に送信されたデータをその日の営業終了時に全て確認することができるので、効率的である。
【００４９】
請求項１３の通信機器によれば、通信機器の操作に不慣れなユーザが操作しなくても、タイマ設定手段によって自動的に履歴画像を印字することができる。さらに、管理者以外の他のユーザに勝手にタイマ設定手段を操作させないようにすることができる。
【００５０】
請求項１４の通信機器によれば、管理者が毎回パスワードを入力しなくても履歴画像を消去することができる。
【００５１】
請求項１５の通信機器によれば、必要のない履歴画像を選択して消去することができ、まだ必要な履歴画像を残しておくことができる。
【００５２】
請求項１６の画像出力システムによれば、大量の原稿を早くＦＡＸ送信したいときなど読み取った画像を直接ＦＡＸ送信する場合であっても、履歴印字指示手段を操作することにより、ＦＡＸ送信した画像を印字することができるので、画質不良のない画像が正しく送信されたか確認することができる。また、複数の履歴画像を１枚の用紙上に印字するので、用紙の使用量を節約することができるとともに、画像の形成時間および用紙に形成された各画像の確認時間を短縮することができる。また、通信機器の操作に不慣れな者が正しくＦＡＸ送信したかどうかを、後から管理者が容易に確認することが可能となる。
【００５３】
請求項１７の画像出力システムによれば、ユーザが表示手段を見ながら印字形態設定手段によって履歴画像の印字形態を自在に変更したり設定したりすることができる。また、印字形態設定手段によって履歴画像の印字形態を変更できるので、各ユーザに最も適した印字形態で履歴画像を印字することができる。
【００５４】
請求項１８の画像出力システムによれば、ユーザが表示手段を見ながら印字形態設定手段によって１枚の用紙上に印字される履歴画像の頁数を自在に設定することができるので、印字される履歴画像の頁数が多い場合、印字形態設定手段によって前記履歴画像の頁数を大きく設定すれば、用紙の使用量を節約することができるとともに、画像の形成時間および用紙に形成された各画像の確認時間を短縮することができる。また、お年寄りなど細かい文字や画像を見づらいユーザが履歴画像を確認する場合、印字形態設定手段によって前記履歴画像の頁数を小さく設定すれば、履歴画像を大きくすることができ、画像が正確に送信されたか確認し易くすることができる。
【００５５】
請求項１９の画像出力システムによれば、各送信ジョブの先頭頁の履歴画像のみを印字すれば、用紙の使用量を節約することができる。また、各送信ジョブ全頁の履歴画像を印字すれば、全ての頁に渡って履歴画像が正しく送信されているか確認することができる。
【００５６】
請求項２０の画像出力システムによれば、お年寄りなど細かい文字や画像を見づらいユーザが各送信ジョブ全ての頁に渡って履歴画像を確認する場合、各送信ジョブの先頭頁以外の履歴画像の大きさを各送信ジョブの先頭頁の履歴画像の大きさと等しく印字すれば、各送信ジョブの履歴画像の全ての頁に渡って履歴画像が正しく送信されているか確認し易くすることができる。また、カバーレターのように、各送信ジョブの履歴画像の大まかな内容が各送信ジョブの先頭頁の履歴画像によって把握できるもので、細かな内容まで把握する必要がない場合、各送信ジョブの先頭頁以外の履歴画像の大きさを各送信ジョブの先頭頁の履歴画像の大きさよりも小さく印字すれば、各送信ジョブの履歴画像の大まかな内容を把握し易く、かつ、用紙の使用量を節約することができる。
【００５７】
請求項２１の画像出力システムによれば、印字形態設定手段により、１日間に送信された履歴画像を確認したいか、１週間に送信された履歴画像を確認したいか、など、正しく送信されたか確認したい履歴画像の量または期間をユーザの希望に応じて設定することができる。例えば、店舗の閉店時間に合わせて時間を設定すれば、１日に送信したデータをその日の営業終了時に全て確認することができるので、効率的である。
【００５８】
請求項２２の画像出力システムによれば、各送信ジョブの履歴画像単位、１日に送信された履歴画像単位、１週間に送信された履歴画像単位など、ユーザの希望に応じた量または期間内の履歴画像の送信料金を確認することができる。
【００５９】
請求項２３の画像出力システムによれば、送信した履歴画像の送信先の宛先や電話番号、また、頁番号などを確認することができるので、画質不良のない画像を送信トラブルが起きることなく正しい宛先に送信されたか確認することができる。
【００６０】
請求項２４の画像出力システムによれば、管理者以外の他のユーザが画像を送信した時点で履歴画像のデータが履歴画像記憶手段から消去されてしまい、管理者が送信された履歴画像を確認できなくなるのを防止することができる。
【００６１】
請求項２５の画像出力システムによれば、必要のない履歴画像を選択して消去することができ、まだ必要な履歴画像を残しておくことができる。
【００６２】
請求項２６の画像出力システムによれば、タイマ設定手段によって自動的に履歴画像を印字することができる。例えば、店舗の閉店時間に合わせてタイマを設定すれば、毎日自動的に、１日に送信されたデータをその日の営業終了時に全て確認することができるので、効率的である。
【００６３】
請求項２７の画像出力システムによれば、通信機器の操作に不慣れなユーザが操作しなくても、タイマ設定手段によって自動的に履歴画像を印字することができる。さらに、管理者以外の他のユーザに勝手にタイマ設定手段を操作させないようにすることができる。
【００６４】
請求項２８の画像出力システムによれば、管理者が毎回パスワードを入力しなくても履歴画像を消去することができる。
【００６５】
請求項２９の画像出力システムによれば、必要のない履歴画像を選択して消去することができ、まだ必要な履歴画像を残しておくことができる。
【発明を実施するための最良の形態】
【００６６】
〔第１実施形態〕
（通信機器の外観）
まず、本発明の通信機器としてのファクシミリ装置の外観を、図１を参照して説明する。図１は、ファクシミリ装置１の第１の実施形態を示す外観図である。図２は、ファクシミリ装置１の本体ケース２の操作部３付近を示す拡大図である。
【００６７】
ファクシミリ装置１は、図示しない電話回線に接続され、本体ケース２の上面には、操作部３が設けられている。また、図示しない原稿をコピーしたり誰かにＦＡＸ送信したりするときに原稿が載置される原稿載置台４と、コピーやＦＡＸ送信をされた原稿が排紙される排紙口５が設けられている。操作部３は、図２に示すように、相手側の電話番号や後述するパスワードを入力するためのパスワード入力手段としてのダイヤルキー６と、原稿のコピーをスタートさせるときに押下されるコピーキー７と、ダイヤルキー６によって入力された電話番号の相手に原稿をＦＡＸ送信するための送信キー８と、現在までにＦＡＸ送信された複数の原稿の履歴画像としての送信済み画像を１枚の用紙Ｐに複数印字するＮ in１印字（Ｎ：１以上の整数）を行わせるときに押下される履歴画像印字指示手段としての履歴プリントキー９と、履歴プリントキー９の押下によって印字スタートされるＦＡＸ送信された送信済み画像の印字形態を表示するための表示手段としての液晶パネル１０と、液晶パネル１０に表示される送信済み画像の印字形態を選択して設定するための選択キー１１aおよび選択キー１１aによって選択され設定された送信済み画像の印字形態を決定するときに押下される決定ボタン１１bからなる印字形態設定手段および選択手段としての印字形態設定キー１１とから構成されている。
【００６８】
（通信機器の各種構成要素の相互関係）
次に、ファクシミリ装置１の各種構成要素の相互関係を図３のブロック図を参照して説明する。図３は、ファクシミリ装置１の内部構成を表すブロック図である。
【００６９】
図３に示すように、ファクシミリ装置１は、各種プログラムに従い動作する後述する制御手段としてのＣＰＵ２０と、原稿Ｐの画像を読み取るための画像読取手段としての原稿読取スキャナ２１と、原稿読取スキャナ２１によって読み取られた読取画像を記憶しておく読取画像記憶手段としての読取画像保存用ＲＡＭ２４aと、読取画像保存用ＲＡＭ２４aに記憶された読取画像を印字するための印字手段としての印字部２２と、図示しないアナログ電話回線を通じて、コンピュータで扱えるデジタル信号を、電話の音声であるアナログ信号に変換して外部機器へ送るための第１送信手段としてのＭＯＤＥＭ２３と、読取画像保存用ＲＡＭ２４aに記憶された読取画像がＭＯＤＥＭ２３からＦＡＸ送信され、送信先電話番号、送信先名、頁番号、送信料金などのＦＡＸ送信情報を付加され送信済み画像になった画像を記憶しておく履歴画像記憶手段としての送信済み画像保存用ＲＡＭ２４bと、送信済み画像保存用ＲＡＭ２４bに一時的に記憶された送信済み画像を印字部２２によって印字するときの送信済み画像の印字形態の設定内容や後述する送信済み画像を送信済み画像保存用ＲＡＭ２４bから消去するための設定内容や後述する送信済み画像を消去するために必要なパスワードの設定内容を一時的に記憶した印字形態記憶手段としての印字形態保存用ＲＡＭ２４cと、時間を計時するための計時手段としてのタイマ２６と、前述したダイヤルキー６、コピーキー７、送信キー８と履歴プリントキー９と液晶パネル１０と印字形態設定キー１１とを有する操作部３とを備えている。また、ＣＰＵ２０は、後述する料金計算手段としての料金計算部２７と、パスワード設定手段としてのパスワード設定部２８と、パスワード照合手段としてのパスワード照合部２９、および、履歴消去手段としての履歴消去部３０から構成されている。
【００７０】
尚、ＭＯＤＥＭ２３には、監視手段としてのモニタ装置３２が備わっており、モニタ装置３２は、ＭＯＤＥＭ２３からデジタル信号化された読取画像がアナログ電話回線に向け送信されたか否かを監視している。モニタ装置３２は、読取画像がＦＡＸ送信されたことを判定すると、そのＦＡＸ送信された送信済み画像のデジタル信号をＣＰＵ２０に送る。デジタル信号をモニタ装置３２から受信したＣＰＵ２０は、送信済み画像保存用ＲＡＭ２４bに送信済み画像を記憶させる。送信キー８が押下されて読取画像がＦＡＸ送信されてから、ＦＡＸ送信された送信済み画像が送信済み画像保存用ＲＡＭ２４bに記憶されるまでの処理動作は、後で詳述する。
【００７１】
（送信済み画像の印字形態）
前述した印字形態設定キー１１は、履歴プリントキー９が押下されることにより印字部２２によってＮ in １印字される送信済み画像の印字形態を設定可能である。この設定可能な印字形態の各種設定では、以下の印字形態の設定が可能である。
【００７２】
＜Ｎ in １印字のＮ値の設定＞
印字形態設定キー１１を操作することによって、Ｎ in １印字される送信済み画像のＮの値を自在に設定可能にする。即ち、１枚の用紙Ｐに印字される送信済み画像の頁数を設定可能にする印字形態を設ける。このような印字形態を設ければ、ファクシミリ装置１を使用するユーザがお年寄りなど細かい文字や画像を見づらいユーザであった場合、２ in １印字や４ in １印字に設定することで、１枚の用紙Ｐに印字される送信済み画像の頁数が少なくなり、送信済み画像１頁当たりの大きさを大きくすることができ、細かい文字や画像を見づらいユーザであっても、十分に送信済み画像の内容や画質を確認することができる。一方、細かい文字や画像でも問題がないユーザがファクシミリ装置１を使用する場合、１６ in １印字や８ in １印字に設定することで、印字する送信済み画像の頁数や送信ジョブ数が多い状況であればあるほど、送信済み画像が印字される用紙Ｐの使用量を一層節約することができる。それとともに、送信済み画像の印字時間および用紙Ｐに形成された各送信済み画像の確認時間を短縮することができる。また、操作に不慣れな者が正しくＦＡＸ送信したかどうかを、後から管理者が容易に確認することが可能となる。
【００７３】
＜各送信ジョブで送信された送信済み画像における印字する画像の選択＞
印字形態設定キー１１を操作することによって、各送信ジョブで送信された送信済み画像の１頁目（先頭）のみを印字するか、それとも全頁印字するかを選択可能にする印字形態を設ける。このような印字形態を設ければ、誰宛にＦＡＸ送信したかを確認したいが、送信した画像の内容まで確認する必要がない場合、各送信ジョブで送信された送信済み画像の１頁目のみを印字する設定にすると、用紙Ｐの使用量を節約することができる。それとともに、送信済み画像の印字時間および用紙Ｐに形成された各送信済み画像の確認時間を短縮することができる。また、誰宛にＦＡＸ送信したかを確認するだけでなく、送信した画像の内容が重要で確認しておく必要がある場合、各送信ジョブ全頁の送信済み画像を印字すれば、全頁に渡って送信済み画像が正しく送信されているか確認することができる。尚、送信キー８を１回押下することにより１枚または複数枚の画像を送信する処理を、送信ジョブと呼ぶ。
【００７４】
＜各送信ジョブで送信された送信済み画像の１頁目以外の大きさの設定＞
印字形態設定キー１１を操作することによって、各送信ジョブで送信された送信済み画像の全頁を印字する設定にした場合、各送信ジョブで送信された送信済み画像の１頁目以外の画像の大きさを、１頁目の画像の大きさと等しく印字するか、それとも１頁目の画像の大きさよりも小さく印字するかを選択可能にする印字形態を設ける。このような印字形態を設ければ、お年寄りなど細かい文字や画像を見づらいユーザが各送信ジョブ全頁に渡って送信済み画像を確認したい場合、各送信ジョブの先頭以外の送信済み画像の大きさを各送信ジョブの１頁目の送信済み画像の大きさと等しく印字すると、各送信ジョブの送信済み画像の全頁に渡って送信済み画像が正しく送信されているか確認し易くすることができる。また、カバーレターのように、各送信ジョブの送信済み画像の大まかな内容が各送信ジョブの１頁目の送信済み画像によって把握できるもので、細かな内容まで把握する必要がない場合、各送信ジョブの１頁目以外の送信済み画像の大きさを各送信ジョブの１頁目の送信済み画像の大きさよりも小さく印字すれば、各送信ジョブの送信済み画像の大まかな内容を把握し易く、かつ、用紙Ｐの使用量を節約することができる。
【００７５】
＜印字したい送信済み画像が送信された期間の設定＞
印字形態設定キー１１を操作することによって、時間を設定可能にする印字形態を設ける。このような印字形態を設ければ、１日前から現在までに送信された送信済み画像を確認したいか、１週間前から現在までに送信された送信済み画像を確認したいか、など、正しく送信されたか確認したい送信済み画像の期間をユーザの希望に応じて設定することができる。また、１日後、一週間後など、所定時間から次に送信済み画像を印字するまでの期間に正しく送信されたか確認したい送信済み画像の期間の開始もユーザの希望に応じて設定することができる。例えば、店舗の閉店時間に合わせて時間を設定すれば、１日に送信したデータをその日の営業終了時に全て確認することができるので、効率的である。
【００７６】
＜送信済み画像の送信料金を計算する期間の設定＞
印字形態設定キー１１を操作することによって、どのくらいの期間に送信された送信済み画像の送信料金を計算して印字するか、送信料金を計算したい送信済み画像が送信された期間の開始時間を設定可能にする印字形態を設ける。このような印字形態を設ければ、各送信ジョブの送信済み画像単位、１日に送信された送信済み画像単位、１週間に送信された送信済み画像単位など、ユーザの希望に応じた量または期間内の送信済み画像の送信料金を確認することができる。
【００７７】
＜見出し情報の設定＞
印字形態設定キー１１を操作することによって、送信した送信済み画像の送信先の宛先や電話番号、また、頁番号などを送信済み画像の見出し情報として、設定可能にする印字形態を設ける。このような印字形態を設ければ、送信済み画像の送信先の宛先や電話番号、また、頁番号などを確認することができるので、画質不良のない画像を送信トラブルが起きることなく正しい宛先に送信されたか確認することができる。
【００７８】
（パスワードの設定）
パスワード入力手段としてのダイヤルキー６を操作することによって、パスワードを設定可能にする。ダイヤルキー６によって入力したパスワードは、ＣＰＵ２０のパスワード設定手段としてのパスワード設定部２８によって、印字形態保存用ＲＡＭ２４cに記憶されるようにする。
【００７９】
（印字形態の設定処理動作）
以上の印字形態を印字形態設定キー１１によって設定するときの設定処理動作を、図面を参照しながら説明する。図４は、前述した各種印字形態を印字形態設定キー１１によって設定し、設定された印字形態に基づいて用紙Ｐ上に印字された送信済み画像を示す図である。図５は、図４において設定した印字形態に替えて、各送信ジョブの送信済み画像の１頁目以外の大きさが１頁目の大きさよりも小さくなるように印字形態が設定され、設定された印字形態に基づいて用紙Ｐ上に印字された送信済み画像を示す図である。
【００８０】
まず、ユーザは、図２に示す印字形態設定キー１１の選択キー１１aの上下方向のキーを押下することにより、設定を変更したい項目を選択する。ここでいう項目とは、Ｎ in １印字のＮ値の設定、各送信ジョブで送信された送信済み画像における印字する画像の選択、各送信ジョブで送信された送信済み画像の１頁目以外の大きさの設定、印字したい送信済み画像が送信された期間の設定、送信済み画像の送信料金を計算する期間の設定、見出し情報の設定、パスワードの設定、および、消去する送信済み画像の選択である。選択キー１１aを押下すれば、これらの項目が液晶パネル１０に順次表示される。
【００８１】
＜Ｎ in １印字のＮ値の設定処理動作＞
選択キー１１aの上下方向のキーを押下し、Ｎ in １印字のＮ値の設定を選択した場合、図２に示すように、液晶パネル１０には、「１マイニ  プリントスル  ページスウ  ？  ＝  １６」などの指示が表示される。ユーザが液晶パネル１０を見ながら選択キー１１aの左右方向のキーを押下すると、液晶パネル１０に表示された数字（ここでは、「１６」）を変更することができる。そして、たとえば、液晶パネル１０に表示された数字を「８」に変更し決定ボタン１１bを押下すれば、図５に示すように、送信済み画像は１枚の用紙Ｐに８頁分印字される、いわゆる８ in １印字される。尚、１送信ジョブで送信された送信済み画像の頁数が多かったり、何度も画像をＦＡＸ送信したりしていた場合は、当然ながら印字する送信済み画像を全て１枚の用紙Ｐに印字できるとは限らない。
【００８２】
＜各送信ジョブで送信された送信済み画像における印字する画像の選択処理動作＞
選択キー１１aの上下方向のキーを押下し、各送信ジョブで送信された送信済み画像における印字する画像の選択を選択した場合、液晶パネル１０には、「１ページメ  ノミ  プリント  ？」などの指示が表示される。ユーザが液晶パネル１０を見ながら選択キー１１aの左右方向のキーを押下すると、液晶パネル１０の表示は、「スベテノ  ページ  プリント  ？」などの表示に切り替わる。そして、たとえば、液晶パネル１０の表示を「スベテノ  ページ  プリント  ？」にし決定ボタン１１bを押下すれば、次に、各送信ジョブで送信された送信済み画像の１頁目以外の大きさの設定を行う。このとき、液晶パネル１０には、「スベテノ  ページ  オナジ  オオキサ  ？」などの指示が表示される。ユーザが液晶パネル１０を見ながら選択キー１１aの左右方向のキーを押下すると、液晶パネル１０の表示は、「１ページメ  イガイ  チイサク  ？」などの表示に切り替わる。そして、たとえば、液晶パネル１０の表示を「１ページメ  イガイ  チイサク  ？」にし決定ボタン１１bを押下すれば、図６に示すように、各送信ジョブの送信済み画像の１頁目以外が１頁目より小さく印字される。
【００８３】
＜印字したい送信済み画像が送信された期間の設定処理動作＞
選択キー１１aの上下方向のキーを押下し、印字したい送信済み画像が送信された期間の設定を選択した場合、液晶パネル１０には、「イツカラ  プリント  ？  ＝  １ニチマエ」などの指示が表示される。ユーザが液晶パネル１０を見ながら選択キー１１aの左右方向のキーを押下すると、液晶パネル１０の時間の表示（ここでは「１ニチマエ」）は、「１シュウカンマエ」「１ニチゴ」「１シュウカンゴ」などの表示に切り替わる。そして、たとえば、液晶パネル１０の表示を「イツカラ  プリント  ？  ＝  １ニチゴ」にし決定ボタン１１bを押下すれば、ＣＰＵ２０によってタイマ２６が起動され、タイマ２６が起動して１日後から前記１日後以降に送信済み画像を印字するまでの期間にＦＡＸ送信され送信済み画像保存用ＲＡＭ２４bに記憶された送信済み画像が、印字部２２によって印字される。
【００８４】
＜送信済み画像の送信料金を計算する期間の設定処理動作＞
選択キー１１aの上下方向のキーを押下し、送信料金を計算したい送信済み画像が送信された期間の設定を選択した場合、液晶パネル１０には、「イツカラノ  ソウシンリョウキン  ？  ＝  １ニチマエ」などの指示が表示される。ユーザが液晶パネル１０を見ながら選択キー１１aの左右方向のキーを押下すると、液晶パネル１０の時間の表示（ここでは「１ニチマエ」）は、「１シュウカンマエ」「１ニチゴ」「１シュウカンゴ」などの表示に切り替わる。そして、たとえば、液晶パネル１０の表示を「イツカラノ  ソウシンリョウキン  ？  ＝  １ニチゴ」にし決定ボタン１１bを押下すれば、ＣＰＵ２０によってタイマ２６が起動され、タイマ２６が起動して１日後から前記１日後以降に送信済み画像を印字するまでの期間にＦＡＸ送信され送信済み画像保存用ＲＡＭ２４bに記憶された送信済み画像の送信料金が、料金計算部２７によって計算され、印字する送信済み画像の１頁目または最終頁に印字される。
【００８５】
＜見出し情報の設定処理動作＞
選択キー１１aの上下方向のキーを押下し、見出し情報の設定を選択した場合、液晶パネル１０には、「ミダシ  ジョウホウ  ？  ＝  ＯＦＦ」などの指示が表示される。ユーザが液晶パネル１０を見ながら選択キー１１aの左右方向のキーを押下すると、液晶パネル１０に表示されたＯＮ／ＯＦＦ（ここでは、「ＯＦＦ」）を変更することができる。そして、たとえば、液晶パネル１０に表示された「ＯＦＦ」を「ＯＮ」に変更し決定ボタン１１bを押下すれば、図４および図５に示すように、送信済み画像とともに、送信済み画像の送信先の宛先や電話番号、また、頁番号などの見出し情報が印字される。
【００８６】
（送信キーが押下されてから送信済み画像が記憶されるまでの処理動作）
送信キー８が押下されて読取画像がＦＡＸ送信されてから、ＦＡＸ送信された送信済み画像が送信済み画像保存用ＲＡＭ２４bに記憶されるまでの処理動作について、図６を参照しながら説明する。図６は、ＦＡＸを送信する送信キー８が押下されてから、ＦＡＸ送信された送信済み画像が送信済み画像保存用ＲＡＭ２４bに記憶されるまでの処理を示すフローチャートである。
【００８７】
まず、ＦＡＸ送信する原稿がファクシミリ装置１の原稿載置台４にセットされ、送信キー８が押下される（Ｓ１）。送信キー８を押下されたファクシミリ装置１は、原稿読取スキャナ２１によって、セットされた原稿の画像の読み取りを開始する（Ｓ２）。画像の読み取りを開始した原稿読み取りスキャナ２１は、読み取った読取画像のデータをＦＡＸ送信用データに変換し、順次ＣＰＵ２０に送信する（Ｓ３）。読取画像のデータの受信を開始したＣＰＵ２０は、データを読取画像保存用ＲＡＭ２４aに送信し、一時的に記憶させる（Ｓ４）。データをＣＰＵ２０から受信し、記憶した読取画像保存用ＲＡＭ２４aは、再びデータをＣＰＵ２０に送信し（Ｓ５）、ＣＰＵ２０は、読取画像保存用ＲＡＭ２４aから受信したデータをＭＯＤＥＭ２３に送信する（Ｓ６）。ＭＯＤＥＭ２３に送信された読取画像のデータがＭＯＤＥＭ２３からアナログ電話回線へ送信開始されたことが、モニタ装置３２によって確認されると（Ｓ７）、ＭＯＤＥＭ２３は、送信済み画像のデータとともに送信済み画像の見出し情報をＣＰＵ２０に送信する（Ｓ８）。そして、ＣＰＵ２０に送信された送信済み画像のデータと見出し情報は、送信済み画像保存用ＲＡＭ２４bに送信され、記憶される（Ｓ９）。
【００８８】
（パスワードの設定処理動作）
選択キー１１aの上下方向のキーを押下し、パスワードの設定を選択した場合、液晶パネル１０には、「パスワード  ニュウリョク」などの指示が表示される。ユーザが液晶パネル１０を見ながらダイヤルキー６を押下してパスワードを入力すると、液晶パネル１０にパスワードを表示することができる。そして、決定ボタン１１bを押下すれば、パスワード設定部２８によって、入力されたパスワードが印字形態保存用ＲＡＭ２４cに記憶される。
【００８９】
（送信済み画像の印字処理動作）
送信済み画像の印字動作を、図７を参照しながら説明する。図７は、送信済み画像の印字処理動作を示すフローチャートである。
【００９０】
まず、ユーザによって履歴プリントボタン９が押下される（Ｓ１１）。履歴プリントボタン９が押下されたことを示す信号をＣＰＵ２０が受信すると（Ｓ１２）、ＣＰＵ２０は送信済み画像保存用ＲＡＭ２４bにデータ要求信号を送る（Ｓ１３）。データ要求信号を送ったＣＰＵ２０は、送信済み画像保存用ＲＡＭ２４bから送信済み画像データおよび送信済み画像の見出し情報のデータを受信したか否か判定する（Ｓ１４）。ＣＰＵ２０が送信済み画像データおよび送信済み画像の見出し情報のデータを受信していないと判定されると（Ｓ１４：Ｎｏ）、送信済み画像保存用ＲＡＭ２４bに送信済み画像が記憶されていないと見なされ、印字処理を終了する（Ｓ１５）。ＣＰＵ２０が送信済み画像データおよび送信済み画像の見出し情報のデータを受信したと判定されると（Ｓ１４：Ｙｅｓ）、印字形態保存用ＲＡＭ２４cに印字形態要求信号を送る（Ｓ１６）。ＣＰＵ２０は、印字形態保存用ＲＡＭ２４cから上述した印字形態設定処理により設定された印字形態の情報を受信すると（Ｓ１７）、受信した印字形態の情報に基づき、送信済み画像データおよび送信済み画像の見出し情報のデータを加工する（Ｓ１８）。加工された送信済み画像データおよび送信済み画像の見出し情報のデータは、印字部２２に送信され（Ｓ１９）、送信されてきたデータに基づき、印字部２２によって送信済み画像のＮ in １印字が行われる（Ｓ２０）。送信済み画像の印字後、本処理を終了する（Ｓ１５）。
【００９１】
以上のように、履歴プリントキー９を押下することにより、ＦＡＸ送信した送信済み画像を印字することができるので、大量の原稿を早くＦＡＸ送信したいときなど読み取った画像を直接ＦＡＸ送信する場合であっても、画質不良のない画像が正しく送信されたか確認することができる。また、履歴プリントキー９を押下するだけで、ＦＡＸ送信した送信済み画像を印字することができるので、ファクシミリ装置１の操作に不慣れなユーザであっても、正しく印字されたＦＡＸを送信することができたか、あるいは、正しい宛先に送信することができたか、容易に確認することができる。
【００９２】
（送信済み画像のデータ消去処理動作）
次に、送信済み画像保存用ＲＡＭ２４bに記憶された送信済み画像のデータを消去する処理動作を、図８を参照しながら説明する。図８は、送信済み画像のデータ消去処理動作を示すフローチャートである。
【００９３】
まず、ユーザによって選択キー１１aの上下方向のキーが押下される（Ｓ１０１）。そして、履歴消去の設定が選択されると（Ｓ１０２）、液晶パネル１０には、「パスワード  ニュウリョク」などの指示が表示される（Ｓ１０３）。ユーザが液晶パネル１０を見ながらダイヤルキー６を押下してパスワードを入力すると（Ｓ１０４）、ＣＰＵ２０によって、印字形態保存用ＲＡＭ２４cにパスワードが記憶されているか否かが判定される（Ｓ１０５）。印字形態保存用ＲＡＭ２４cにパスワードが記憶されていると判定されると（Ｓ１０５：Ｙｅｓ）、ダイヤルキー６によって入力されたパスワードと印字形態保存用ＲＡＭ２４cに記憶されたパスワードとが一致するか否かパスワード照合部２９によって照合される（Ｓ１０６）。２つのパスワードが一致していなければ（Ｓ１０６：Ｎｏ）、「パスワードガ  チガイマス」「リレキ  ショウキョ  デキマセン」などの指示が表示され（Ｓ１０７）、本処理を終了する（Ｓ１０８）。２つのパスワードが一致していたら（Ｓ１０６：Ｙｅｓ）、「リレキ  ショウキョ  ？  ＝  ＮＯ」などの指示が表示される（Ｓ１０９）。ユーザが液晶パネル１０を見ながら選択キー１１aの左右方向のキーを押下すると、液晶パネル１０に表示されたＹＥＳ／ＮＯ（ここでは、「ＮＯ」）を変更することができる。そして、液晶パネル１０に表示された「ＮＯ」を「ＹＥＳ」に変更し決定ボタン１１bを押下すれば（Ｓ１１０：Ｙｅｓ）、履歴消去部３０に  よって送信済み画像保存用ＲＡＭ２４bに記憶された全ての送信済み画像が消去される（Ｓ１１１）。送信済み画像を消去後、本処理を終了する（Ｓ１０８）。一方、液晶パネル１０に表示された「ＮＯ」を変更せず決定ボタン１１bを押下すれば（Ｓ１１０：Ｎｏ）、本処理を終了する（Ｓ１０７）。Ｓ１０４の処理にて印字形態保存用ＲＡＭ２４cにパスワードが記憶されていないと判定されると（Ｓ１０５：Ｎｏ）、Ｓ１０９からの処理に移行し、「リレキ  ショウキョ  ？  ＝  ＮＯ」と表示された液晶パネル１０の「ＮＯ」を「ＹＥＳ」に変更し決定ボタン１１bを押下すれば（Ｓ１１０：Ｙｅｓ）、履歴消去部３０によって送信済み画像保存用ＲＡＭ２４bに記憶された全ての送信済み画像が消去される（Ｓ１１１）。このような処理を設ければ、管理者がパスワードを設定することにより、管理者以外の他のユーザが画像を送信した時点で送信済み画像のデータが送信済み画像保存用ＲＡＭ２４bから消去されてしまい、管理者が送信された送信済み画像を確認できなくなるのを防止することができる。
【００９４】
尚、上記実施形態の各種設定において、設定の途中で所定時間ダイヤルキー６や印字形態設定キー１１などが押下されなければ、液晶パネル１０の表示は、初期設定の画面表示に切り替わる。
【００９５】
〔第２実施形態〕
本発明の第２の実施形態に係る通信機器について、図面を参照しながら説明する。尚、第１実施形態と対応する構成部分に同一の符号を付け、第１実施形態と重複する説明は省略することにする。図９は、ファクシミリ装置１の第２実施形態における内部構成を表すブロック図である。図１０は、第２実施形態におけるタイマ設定部３１による時間の設定処理動作を示すフローチャートである。
【００９６】
本実施形態では、図２に示すような履歴印字指示手段としての履歴プリントキー９が設けられておらず、図９に示すように、タイマ設定手段としてのタイマ設定部３１によってタイマ２６でカウントする時間を設定し、設定時間毎に送信済み画像を印字するようにする。そして、送信済み画像の印字後、履歴消去部３０により印字した送信済み画像のデータを送信済み画像保存用ＲＡＭ２４bから消去するようにする。
【００９７】
（タイマ設定による送信済み画像の印字処理動作）
図１０に示すように、まず、ユーザによって選択キー１１aの上下方向のキーが押下される（Ｓ２０１）。そして、タイマの設定が選択されると（Ｓ２０２）、液晶パネル１０には、「パスワード  ニュウリョク」などの指示が表示される（Ｓ２０３）。ユーザが液晶パネル１０を見ながらダイヤルキー６を押下してパスワードを入力すると（Ｓ２０４）、ＣＰＵ２０によって、印字形態保存用ＲＡＭ２４cにパスワードが記憶されているか否かが判定される（Ｓ２０５）。印字形態保存用ＲＡＭ２４cにパスワードが記憶されていると判定されると（Ｓ２０５：Ｙｅｓ）、ダイヤルキー６によって入力されたパスワードと印字形態保存用ＲＡＭ２４cに記憶されたパスワードとが一致するか否かパスワード照合部２９によって照合される（Ｓ２０６）。２つのパスワードが一致していなければ（Ｓ２０６：Ｎｏ）、「パスワードガ  チガイマス」「タイマ  セッテイ  デキマセン」などの指示が表示され（Ｓ２０７）、本処理を終了する（Ｓ２０８）。２つのパスワードが一致していたら（Ｓ２０６：Ｙｅｓ）、「セッテイ  ジカン  ？  ＝  １ニチ」などの指示が表示される（Ｓ２０９）。ユーザが液晶パネル１０を見ながら選択キー１１aの左右方向のキーを押下すると、液晶パネル１０に表示された時間（ここでは、「１ニチ」）を「１ジカン」「１シュウカン」などに変更することができる（Ｓ２１０）。そして、決定ボタン１１bを押下すれば（Ｓ２１１：Ｙｅｓ）、タイマ設定部３１は、設定された時間をタイマ２６にカウントさせる（Ｓ２１２）。決定ボタン１１bを押下していなければ（Ｓ２１１：Ｎｏ）、押下されるまでＳ２０９の処理を繰り返す。設定時間が経過していなければ（Ｓ２１３：Ｎｏ）、引き続きタイマ２６によるカウントを行う。設定時間が経過すれば（Ｓ２１３：Ｙｅｓ）、印字形態設定キー１１によって設定された印字形態に基づいて、送信済み画像が印字される（Ｓ２１４）。送信済み画像が印字されると、印字された送信済み画像のデータを送信済み画像保存用ＲＡＭ２４bから全て消去する（Ｓ２１５）。そして、Ｓ２１２の処理に戻り、再びタイマ２６によって設定時間をカウントし始める。Ｓ２０５で印字形態保存用ＲＡＭ２４cにパスワードが記憶されていないと判定されると（Ｓ２０５：Ｎｏ）、Ｓ２０９からの処理に移行し、タイマ設定が行なわれる。尚、本処理動作が再びＳ２０１の処理から行われるまでの間は、Ｓ２１２〜Ｓ２１５の処理が繰り返される。本処理動作が再びＳ２０１の処理から行われる場合は、新たな設定時間で本処理動作が行われ、次に本処理動作が再びＳ２０１の処理から行われるまでの間、前記新たな設定時間でＳ２１２〜Ｓ２１５の処理が繰り返される。
【００９８】
このような処理を設ければ、ＦＡＸ送信した送信済み画像を印字することができるので、大量の原稿を早くＦＡＸ送信したいときなど読み取った画像を直接ＦＡＸ送信する場合であっても、画質不良のない画像が正しく送信されたか確認することができる。また、タイマ２６によって自動的に送信済み画像を印字することができるので、例えば、店舗の閉店時間に合わせてタイマ２６を設定すれば、毎日自動的に、１日に送信されたデータをその日の営業終了時に全て確認することができるので、効率的である。また、ファクシミリ装置１の操作に不慣れなユーザが操作しなくても、タイマ設定部３１によって自動的に送信済み画像を印字することができる。さらに、管理者がパスワードを設定することにより、管理者以外の他のユーザに勝手にタイマを設定させないようにすることができる。また、管理者が毎回パスワードを入力しなくても送信済み画像を消去することができる。
【００９９】
〔第３実施形態〕
本発明の第３の実施形態に係る画像出力システムについて、図面を参照しながら説明する。尚、第１実施形態および第２実施形態と対応する構成部分に同一の符号を付け、第１実施形態および第２実施形態と重複する説明は省略することにする。図１１は、第３実施形態の画像出力システムの概略構成を表すブロック図である。
【０１００】
（画像出力システムの各種構成要素の相互関係）
本実施形態は、図１１に示すように、複数の通信機器としてのファクシミリ装置１がネットワーク６０を介して情報端末装置としてのパーソナルコンピュータ４０（以下、「ＰＣ４０」と称す）に接続されており、画像データなどの情報を送受信可能にされている。
そして、ＰＣ４０側に、表示手段としてのディスプレイ５５、第１実施形態および第２実施形態の操作部３に対応するキーボード５０とマウス５１、各種プログラムに従い動作するＣＰＵ５６が設けられている。
【０１０１】
キーボード５０とマウス５１は、履歴印字指示手段としての履歴プリント機能５２、印字形態設定手段としての印字形態設定機能５３、および、パスワード入力手段としてのパスワード入力機能５４を兼ね備える。キーボード５０とマウス５１を用いれば、送信済み画像を印字する操作も、第１実施形態および第２実施形態で述べた種々の印字形態の設定も、パスワードを入力する操作も、全てディスプレイ５５を閲覧しながら行うことができる。尚、キーボード５０とマウス５１によって設定されたり入力されたりした印字形態やパスワードの情報は、ＰＣ４０の第２送信手段としてのＭＯＤＥＭ５７からファクシミリ装置１へ送信され、印字形態記憶手段としての印字形態保存用ＲＡＭ２４cに記憶される。
【０１０２】
（送信済み画像の印字処理動作）
送信済み画像の印字動作を、図１２を参照しながら説明する。図１２は、第３実施形態における送信済み画像の印字処理動作を示すフローチャートである。
【０１０３】
まず、ユーザによってＰＣ４０のキーボード５０やマウス５１が操作されると、履歴プリント機能５２により、ディスプレイ５５に履歴プリントボタンが表示される（Ｓ３０１）。表示された履歴プリントボタンが押下されると（Ｓ３０２）、ＰＣ４０のＣＰＵ５６からファクシミリ装置１のＣＰＵ２０を介して履歴画像記憶手段としての送信済み画像保存用ＲＡＭ２４bにデータ要求信号が送信される（Ｓ３０３）。ファクシミリ装置１のＣＰＵ２０は、データ要求信号を受信した送信済み画像保存用ＲＡＭ２４bから送信済み画像データおよび送信済み画像の見出し情報のデータを受信したか否かを判定する（Ｓ３０４）。ＣＰＵ２０が送信済み画像データおよび送信済み画像の見出し情報のデータを受信していないと判定すると（Ｓ３０４：Ｎｏ）、送信済み画像保存用ＲＡＭ２４bに送信済み画像が記憶されていないと見なされ、印字処理を終了する（Ｓ３０５）。ＣＰＵ２０が送信済み画像データおよび送信済み画像の見出し情報のデータを受信したと判定すると（Ｓ３０４：Ｙｅｓ）、ＣＰＵ２０は、ファクシミリ装置１内の印字形態記憶手段としての印字形態保存用ＲＡＭ２４cに印字形態要求信号を送る（Ｓ３０６）。ＣＰＵ２０は、印字形態設定機能５３により設定された印字形態の情報を印字形態保存用ＲＡＭ２４cから受信すると（Ｓ３０７）、受信した印字形態の情報に基づき、送信済み画像データおよび送信済み画像の見出し情報のデータを加工する（Ｓ３０８）。加工された送信済み画像データおよび送信済み画像の見出し情報のデータは、印字手段としての印字部２２によって送信済み画像の印字が行われる（Ｓ３０９）。送信済み画像の印字後、本処理を終了する（Ｓ３０５）。
【０１０４】
以上のように、ＰＣ４０のディスプレイ５５上で履歴プリントボタンをキーボード５０やマウス５１で押下することにより、ＦＡＸ送信した送信済み画像を印字することができるので、大量の原稿を早くＦＡＸ送信したいときなど読み取った画像を直接ＦＡＸ送信する場合であっても、画質不良のない画像が正しく送信されたか確認することができる。また、ファクシミリ装置１やＰＣ４０の操作に不慣れなユーザであっても、正しく印字されたＦＡＸを送信することができたか、あるいは、正しい宛先に送信することができたか、容易に確認することができる。また、履歴プリント機能５２がＰＣ４０に設けられているので、ファクシミリ装置１が設置されている場所まで行かなくても、送信済み画像を印字することができる。
【０１０５】
（送信済み画像のデータ消去処理動作）
次に、送信済み画像保存用ＲＡＭ２４bに記憶された送信済み画像のデータを消去する処理動作を、図１３を参照しながら説明する。図１３は、第３の実施形態における送信済み画像のデータ消去処理動作を示すフローチャートである。
【０１０６】
まず、ユーザによってＰＣ４０のキーボード５０やマウス５１が操作されると、印字形態設定機能５３によりディスプレイ５５に履歴消去設定画面が表示される（Ｓ４０１）。そして、「次へ」などのボタンがクリックされると（Ｓ４０２）、ディスプレイ５５には、パスワード入力機能５４により「パスワードを入力してください」などの指示が表示される（Ｓ４０３）。ユーザがディスプレイ５５を見ながらキーボード５０を操作してパスワードを入力すると（Ｓ４０４）、ＰＣ４０のＭＯＤＥＭ５７からファクシミリ装置１のＣＰＵ２０を介してパスワード要求信号が印字形態保存用ＲＡＭ２４cに送信される（Ｓ４０５）。ファクシミリ装置１の印字形態保存用ＲＡＭ２４cにパスワードが記憶されていると判定されると（Ｓ４０６：Ｙｅｓ）、キーボード５０によって入力されたパスワードと印字形態保存用ＲＡＭ２４cに記憶されたパスワードとが一致するか否かパスワード照合部２９によって照合される（Ｓ４０７）。２つのパスワードが一致していなければ（Ｓ４０７：Ｎｏ）、ファクシミリ装置１のＭＯＤＥＭ２３からＰＣ４０にパスワード不一致信号が送信され（Ｓ４０８）、「パスワードが違います  履歴を消去できません」などの指示がＰＣ４０のディスプレイ５５に表示され（Ｓ４０９）、本処理を終了する（Ｓ４１０）。２つのパスワードが一致していたら（Ｓ４０７：Ｙｅｓ）、ＭＯＤＥＭ２３からＰＣ４０にパスワード一致信号が送信され（Ｓ４１１）、「履歴を消去しますか？」などの指示がディスプレイ５５に表示される（Ｓ４１２）。ユーザがディスプレイ５５を見ながら「履歴を消去しますか？」などの指示とともに表示された「ＹＥＳ」および「ＮＯ」のボタンのうち、「ＹＥＳ」のボタンをマウス５１を操作してクリックすると（Ｓ４１３：Ｙｅｓ）、ＰＣ４０のＭＯＤＥＭ５７からファクシミリ装置１へ履歴消去信号が送信され（Ｓ４１４）、ファクシミリ装置１内の履歴消去部３０によって送信済み画像保存用ＲＡＭ２４bに記憶された全ての送信済み画像が消去される（Ｓ４１５）。送信済み画像を消去後、本処理を終了する（Ｓ４１０）。一方、マウス５１を操作して「ＮＯ」のボタンをクリックすると（Ｓ４１３：Ｎｏ）、そのまま本処理を終了する（Ｓ４１０）。Ｓ４０６の処理にてファクシミリ装置１の印字形態保存用ＲＡＭ２４cにパスワードが記憶されていないと判定されると（Ｓ４０６：Ｎｏ）、Ｓ４１２からの処理に移行し、マウス５１を操作して「履歴を消去しますか？」などの指示とともに表示された「ＹＥＳ」のボタンをクリックすれば（Ｓ４１３：Ｙｅｓ）、履歴消去部３０によって送信済み画像保存用ＲＡＭ２４bに記憶された全ての送信済み画像が消去される（Ｓ４１５）。
【０１０７】
このような処理を設ければ、管理者がパスワードを設定することにより、管理者以外の他のユーザが画像を送信した時点で送信済み画像のデータが送信済み画像保存用ＲＡＭ２４bから消去されてしまい、管理者が送信された送信済み画像を確認できなくなるのを防止することができる。また、パスワード入力機能５４がＰＣ４０に設けられているので、ファクシミリ装置１が設置されている場所まで行かなくてもパスワードを入力することができ、送信済み画像を消去することができる。
【０１０８】
〔第４実施形態〕
本発明の第４の実施形態に係る画像出力システムについて、図面を参照しながら説明する。尚、第１実施形態、第２実施形態および第３実施形態と対応する構成部分に同一の符号を付け、第１実施形態、第２実施形態および第３実施形態と重複する説明は省略することにする。図１４は、第４実施形態の画像出力システムの概略構成を表すブロック図である。図１５は、第４実施形態におけるタイマ設定部３１による時間の設定処理動作を示すフローチャートである。
【０１０９】
（画像出力システムの各種構成要素の相互関係）
本実施形態では、図１１に示すような第３実施形態における画像出力システムの各種構成要素との相違点は、図１４に示すように、履歴印字指示手段としての履歴プリント機能５２が設けられておらず、ファクシミリ装置１の制御手段としてのＣＰＵ２０に送信済み画像を一定時間毎に印字するためのタイマ設定手段としてのタイマ設定部３１が設けられている。
【０１１０】
タイマ設定部３１は、その役割において第２実施形態のタイマ設定部３１と同様であり、本実施形態ではディスプレイ５５上でキーボード５０やマウス５１を操作して印字形態設定機能５３により設定された時間毎に送信済み画像を印字するように、設定時間をＭＯＤＥＭ５７からファクシミリ装置１に送信し、印字形態保存用ＲＡＭ２４cに記憶させる。そして、送信済み画像の印字後、履歴消去部３０によって印字した送信済み画像のデータが送信済み画像保存用ＲＡＭ２４bから消去されるようにする。
【０１１１】
（タイマ設定による送信済み画像の印字処理動作）
次に、タイマ設定による送信済み画像の印字処理動作を、図１５のフローチャートを参照しながら説明する。
【０１１２】
図１５に示すように、まず、ユーザによってＰＣ４０のキーボード５０やマウス５１が操作されると、印字形態設定機能５３によりディスプレイ５５にタイマ設定画面が表示される（Ｓ５０１）。そして、「次へ」などのボタンがクリックされると（Ｓ５０２）、ディスプレイ５５には、パスワード入力機能５４により「パスワードを入力してください」などの指示が表示される（Ｓ５０３）。ユーザがディスプレイ５５を見ながらキーボード５０を操作してパスワードを入力すると（Ｓ５０４）、ＰＣ４０のＭＯＤＥＭ５７からファクシミリ装置１のＣＰＵ２０を介してパスワード要求信号が印字形態保存用ＲＡＭ２４cに送信される（Ｓ５０５）。ファクシミリ装置１の印字形態保存用ＲＡＭ２４cにパスワードが記憶されていると判定されると（Ｓ５０６：Ｙｅｓ）、キーボード５０によって入力されたパスワードと印字形態保存用ＲＡＭ２４cに記憶されたパスワードとが一致するか否かパスワード照合部２９によって照合される（Ｓ５０７）。２つのパスワードが一致していなければ（Ｓ５０７：Ｎｏ）、ファクシミリ装置１からＰＣ４０にパスワード不一致信号が送信され（Ｓ５０８）、「パスワードが違います  タイマを設定できません」などの指示がＰＣ４０のディスプレイ５５に表示され（Ｓ５０９）、本処理を終了する（Ｓ５１０）。２つのパスワードが一致していたら（Ｓ５０７：Ｙｅｓ）、ファクシミリ装置１のＭＯＤＥＭ２３からＰＣ４０にパスワード一致信号が送信され（Ｓ５１１）、「設定時間は？」などの指示がディスプレイ５５に表示される（Ｓ５１２）。ユーザがマウス５１を操作してディスプレイ５５に表示された時間（ここでは、「１ニチ」）を「１ジカン」「１シュウカン」から設定したい時間を選択する（Ｓ５１３）。そして、ディスプレイ５５に表示された「ＹＥＳ」ボタンをクリックすれば（Ｓ５１４：Ｙｅｓ）、ＰＣ４０からファクシミリ装置１へタイマ設定信号が送信され（Ｓ５１５）、タイマ設定部３１は、受信したタイマ設定信号に基づいて設定時間を印字形態保存用ＲＡＭ２４cに記憶させ、設定された時間をタイマ２６にカウントさせる（Ｓ５１６）。ディスプレイ５５に表示された「ＮＯ」ボタン（「キャンセル」ボタン）をクリックすれば（Ｓ５１４：Ｎｏ）、本処理を終了する（Ｓ５１０）。設定時間が経過していなければ（Ｓ５１７：Ｎｏ）、引き続きタイマ２６によるカウントを行う。設定時間が経過すれば（Ｓ５１７：Ｙｅｓ）、印字形態設定機能５３を有したキーボード５０およびマウス５１を操作することによって設定された印字形態に基づいて、送信済み画像が印字される（Ｓ５１８）。送信済み画像が印字されると、印字された送信済み画像のデータを送信済み画像保存用ＲＡＭ２４bから全て消去する（Ｓ５１９）。そして、Ｓ５１６の処理に戻り、再びタイマ２６によって設定時間をカウントし始める。Ｓ５０６で印字形態保存用ＲＡＭ２４cにパスワードが記憶されていないと判定されると（Ｓ５０６：Ｎｏ）、Ｓ５１２からの処理に移行し、タイマ設定が行なわれる。尚、本処理動作が再びＳ５０１の処理から行われるまでの間は、Ｓ５１６〜Ｓ５１９の処理が繰り返される。本処理動作が再びＳ２０１の処理から行われる場合は、新たな設定時���で本処理動作が行われ、次に本処理動作が再びＳ５０１の処理から行われるまでの間、前記新たな設定時間でＳ５１６〜Ｓ５１９の処理が繰り返される。
【０１１３】
このような処理を設ければ、ＦＡＸ送信した送信済み画像を印字することができるので、大量の原稿を早くＦＡＸ送信したいときなど読み取った画像を直接ＦＡＸ送信する場合であっても、画質不良のない画像が正しく送信されたか確認することができる。また、タイマ２６によって自動的に送信済み画像を印字することができるので、例えば、店舗の閉店時間に合わせてタイマ２６を設定すれば、毎日自動的に、１日に送信されたデータをその日の営業終了時に全て確認することができるので、効率的である。また、ファクシミリ装置１やＰＣ４０の操作に不慣れなユーザが操作しなくても、タイマ設定部３１によって自動的に送信済み画像を印字することができる。さらに、管理者がパスワードを設定することにより、管理者以外の他のユーザに勝手にタイマを設定させないようにすることができる。また、管理者が毎回パスワードを入力しなくても送信済み画像を消去することができる。さらに、パスワード入力機能５４がＰＣ４０に設けられているので、ファクシミリ装置１が設置されている場所まで行かなくてもパスワードを入力することができ、一定時間毎に送信済み画像を印字して印字後送信済み画像を消去する設定を行うことができる。
【０１１４】
〔変形例〕
以上、上記実施形態に基づき本発明を説明したが、本発明は上記実施形態に何ら限定されるものではなく、その技術的思想を逸脱しない範囲内で種々の改良変形が可能である。
【０１１５】
上記実施形態では、履歴消去部３０によって送信済み画像を送信済み画像保存用ＲＡＭ２４bから消去する場合、送信済み画像保存用ＲＡＭ２４bに記憶されている全ての送信済み画像を消去していたが、まだ保存しておきたい送信済み画像を残せるように、消去する送信済み画像を次に述べるように選択するようにしても良い。
【０１１６】
＜消去する送信済み画像の選択＞
管理者などが設定したパスワードを再入力し、再入力したパスワードが設定されているパスワードと一致した場合、あるいは、印字形態保存用ＲＡＭ２４cにパスワードが記憶されていない場合、選択手段（第１実施形態では印字形態設定キー１１に相当、第３実施形態ではキーボード５０およびマウス５１に相当）を操作することによって、履歴消去部３０により消去すべき送信済み画像を選択可能にする。
【０１１７】
＜消去する送信済み画像の選択処理動作＞
まず図１６を参照しながら、第１実施形態のように履歴プリントキー９を備えたファクシミリ装置１の印字形態設定キー１１によって消去する送信済み画像の選択処理動作を説明する。図１６は、印字形態設定キー１１による消去する送信済み画像の選択処理動作を表すフローチャートである。尚、Ｓ１０８以前の処理は、図８に示すＳ１０１〜Ｓ１０８の処理と同様であるので、説明を省略する。
【０１１８】
ダイヤルキー６によって入力されたパスワードと印字形態保存用ＲＡＭ２４cに記憶されたパスワードとが一致した場合（Ｓ１０６：Ｙｅｓ）、あるいは、印字形態保存用ＲＡＭ２４cにパスワードが記憶されていない場合（Ｓ１０５：Ｎｏ）、消去画像の設定を行う。このとき、液晶パネル１０には、「ショウキョ  スル  ガゾウ  ？  ＝  １」などの指示が表示される（Ｓ１０９Ａ）。ユーザが液晶パネル１０を見ながら選択キー１１aの左右方向のキーを押下して消去する送信済み画像番号を選択すると（Ｓ１１０Ａ）、液晶パネル１０に表示された数字（ここでは、「１」）を変更することができる。そして、たとえば、液晶パネル１０に表示された数字を「３」に変更し決定ボタン１１bを押下すれば（Ｓ１１１Ａ：Ｙｅｓ）、３番目の送信ジョブで送信された送信済み画像のデータを履歴消去部３０によって送信済み画像保存用ＲＡＭ２４bから消去する（Ｓ１１２Ａ）。その後、Ｓ１０９Ａの処理に戻り、消去する送信済み画像がなくなるまで本処理が繰り返される。尚、送信した順番を示す数字は、送信済み画像を印字する際に、見出し情報として印字すればよい。所定時間タイマ２６でカウントしても決定ボタン１１bが押下されなかった場合、消去する送信済み画像の設定をキャンセルしたと判断され（Ｓ１１１Ａ：Ｎｏ）、本処理を終了する（Ｓ１０８）。
【０１１９】
次に図１７を参照しながら、第３実施形態のように履歴プリント機能５２を備えたＰＣ４０のキーボード５０およびマウス５１によって消去する送信済み画像の選択処理動作を説明する。図１７は、キーボード５０およびマウス５１による消去する送信済み画像の選択処理動作を表すフローチャートである。尚、Ｓ４１１以前の処理は、図１３に示すＳ４０１〜Ｓ４１１の処理と同様であるので、説明を省略する。
【０１２０】
パスワード入力機能５４を有するキーボードやマウス５１によって入力されたパスワードと印字形態保存用ＲＡＭ２４cに記憶されたパスワードとが一致した場合（Ｓ４０７：Ｙｅｓ）、あるいは、印字形態保存用ＲＡＭ２４cにパスワードが記憶されていない場合（Ｓ４０６：Ｎｏ）、消去画像の設定を行う。このとき、ＰＣ４０のディスプレイ５５には、消去画像設定画面が表示されるとともに「消去する履歴番号を選択してください」などの指示が表示される（Ｓ４１２Ａ）。ユーザがディスプレイ５５を見ながらキーボード５０やマウス５１を操作して消去する送信済み画像番号を選択し（Ｓ４１３Ａ）、たとえば、「３」を選択してディスプレイ５５上の「ＯＫ」ボタンをクリックすれば（Ｓ４１４Ａ：Ｙｅｓ）、ＰＣ４０からファクシミリ装置１へ送信済み画像「３」に対する履歴消去信号が送信され（Ｓ４１５Ａ）、３番目の送信ジョブで送信された送信済み画像のデータを履歴消去部３０によって送信済み画像保存用ＲＡＭ２４bから消去する（Ｓ４１６Ａ）。その後、Ｓ４１２Ａの処理に戻り、消去する送信済み画像がなくなるまで本処理が繰り返される。一方、ディスプレイ５５上の「キャンセル」ボタンがクリックされると（Ｓ４１４Ａ：Ｎｏ）、消去画像設定画面の表示が解除され、本処理を終了する（Ｓ４１０）。
【０１２１】
以上のように、消去する送信済み画像を選択するようにすれば、必要のない送信済み画像を選択して消去することができ、まだ必要な送信済み画像を残しておくことができる。
【０１２２】
また、タイマ２６を設定するには、正しいパスワードを入力しなければならなかったが、どのユーザがタイマ２６を設定しても良い環境であれば、パスワードを入力することなしにタイマ２６を設定できるようにしても良い。
【０１２３】
履歴プリントキー９をファクシミリ装置１の本体ケース２の上面に対し凹状になるように設けても良い。そうすれば、ユーザが過ってファクシミリ装置１に接触して身体の一部で履歴プリントキー９を押下してしまうのを防止することができる。
【０１２４】
各送信ジョブの先頭の送信済み画像のみを印字するか、全頁印字するかを設定可能にしたが、１頁目から５頁目までの送信済み画像を印字する、というように、印字範囲を頁指定できるように設定しても良い。このようにすれば、たとえば、前回ＦＡＸ送信した原稿の初めの数頁だけ修正を加えた新たな原稿を再送信したときなど、ＦＡＸ送信した原稿の一部だけ正しく送信されたか確認すればよい状況下では、確認する必要のない頁の送信済み画像の印字を省略することができるので、用紙の使用量を節約することが可能となる。
【０１２５】
ファクシミリ装置１に設けられた印字形態設定キー１１で各種印字形態を設定するとき、設定途中でキャンセルしたい場合は、操作部３に図示しないキャンセルボタンを設け、このボタンを押下することによって、液晶パネル１０の表示を設定前の初期状態に戻しても良い。
【０１２６】
履歴プリントキー９あるいは履歴プリント機能５２と、タイマ設定部３１とを両方ともファクシミリ装置１あるいはＰＣ４０に設け、印字形態設定キー１１あるいは印字形態設定機能５３によって、履歴プリントキー９を用いて送信済み画像を印字するか、タイマ設定部３１によって一定時間毎に送信済み画像を印字するか、選択できるようにしても良い。このようにすれば、ファクシミリ装置１あるいはＰＣ４０の使用環境が変化しても、最適な印字方法で送信済み画像を印字することが可能となる。
【０１２７】
また、送信済み画像の送信料金を計算する期間の開始時間、または、送信済み画像を印字する期間の開始時間を「１日後」「１週間前」というように定めたが、「２００５年８月１５日」というように時刻で設定しても良い。
【０１２８】
ダイヤルキー６を用いて、時間や枚数など数字で表される印字形態の設定を行わせても良い。ダイヤルキー６を用いて数字を設定するのは、選択キー１１aを用いて数字を設定するよりも、より容易で手間がかからない。
【図面の簡単な説明】
【０１２９】
【図１】ファクシミリ装置１の第１の実施形態を示す外観図である。
【図２】ファクシミリ装置１の本体ケース２の操作部３付近を示す拡大図である。
【図３】ファクシミリ装置１の内部構成を表すブロック図である。
【図４】前述した各種印字形態を印字形態設定キー１１によって設定し、設定された印字形態に基づいて用紙Ｐ上に印字された送信済み画像を示す図である。
【図５】図４において設定した印字形態に替えて、各送信ジョブの送信済み画像の１頁目以外の大きさが１頁目の大きさよりも小さくなるように印字形態が設定され、設定された印字形態に基づいて用紙Ｐ上に印字された送信済み画像を示す図である。
【図６】ＦＡＸを送信する送信キー８が押下されてから、ＦＡＸ送信された送信済み画像が送信済み画像保存用ＲＡＭ２４bに記憶されるまでの処理を示すフローチャートである。
【図７】送信済み画像の印字処理動作を示すフローチャートである。
【図８】送信済み画像のデータ消去処理動作を示すフローチャートである。
【図９】ファクシミリ装置１の第２実施形態における内部構成を表すブロック図である。
【図１０】第２実施形態におけるタイマ設定部３１による時間の設定処理動作を示すフローチャートである。
【図１１】第３実施形態の画像出力システムの概略構成を表すブロック図である。
【図１２】第３実施形態における送信済み画像の印字処理動作を示すフローチャートである。
【図１３】第３の実施形態における送信済み画像のデータ消去処理動作を示すフローチャートである。
【図１４】第４実施形態の画像出力システムの概略構成を表すブロック図である。
【図１５】第４実施形態におけるタイマ設定部３１による時間の設定処理動作を示すフローチャートである。
【図１６】印字形態設定キー１１による消去する送信済み画像の選択処理動作を表すフローチャートである。
【図１７】キーボード５０およびマウス５１による消去する送信済み画像の選択処理動作を表すフローチャートである。
【符号の説明】
【０１３０】
１  ファクシミリ装置（通信機器）
３  操作部
６  ダイヤルキー（パスワード入力手段）
９  履歴プリントキー（履歴印字指示手段）
１０  液晶パネル（表示手段）
１１  印字形態設定キー（印字形態設定手段、選択手段）
１１a  選択キー
１１b  決定ボタン
２０  ＣＰＵ（制御手段）
２１  原稿読取スキャナ（画像読取手段）
２２  印字部（印字手段）
２３  ＭＯＤＥＭ（第１送信手段）
２４a  読取画像保存用ＲＡＭ（読取画像記憶手段）
２４b  送信済み画像保存用ＲＡＭ（履歴画像記憶手段）
２４c  印字形態保存用ＲＡＭ（印字形態記憶手段）
２６  タイマ（計時手段）
２７  料金計算部（料金計算手段）
２８  パスワード設定部（パスワード設定手段）
２９  パスワード照合部（パスワード照合手段）
３０  履歴消去部（履歴消去手段）
３１  タイマ設定部（タイマ設定手段）
４０  パーソナルコンピュータ（情報端末装置）
５０  キーボード
５１  マウス
５２  履歴プリント機能（履歴印字指示手段）
５３  印字形態設定機能（印字形態設定手段）
５４  パスワード入力機能（パスワード入力手段）
５５  ディスプレイ（表示手段）
５６  ＣＰＵ
５７  第２送信手段
６０  ネットワーク  
Ｐ  用紙
【図１】
2007019917.tif 000003
【図２】
2007019917.tif 000004
【図３】
2007019917.tif 000005
【図４】
2007019917.tif 000006
【図５】
2007019917.tif 000007
【図６】
2007019917.tif 000008
【図７】
2007019917.tif 000009
【図８】
2007019917.tif 000010
【図９】
2007019917.tif 000011
【図１０】
2007019917.tif 000012
【図１１】
2007019917.tif 000013
【図１２】
2007019917.tif 000014
【図１３】
2007019917.tif 000015
【図１４】
2007019917.tif 000016
【図１５】
2007019917.tif 000017
【図１６】
2007019917.tif 000018
【図１７】
2007019917.tif 000019